(57)【要約】  本開示は、通信の技術分野に関し、同期信号伝送方法及び端末を提供する。当該同期信号伝送方法は、端末に適用されるものであり、サイドリンク同期信号ブロックを伝送することを含み、前記サイドリンク同期信号ブロックは、プライマリサイドリンク同期信号ＰＳＳＳ、及び、セカンダリサイドリンク同期信号ＳＳＳＳを含み、ＰＳＳＳ及びＳＳＳＳは、前記サイドリンク同期信号ブロックが占用する直交周波数分割多重ＯＦＤＭシンボルに分布している。
2021532701.tif 000002
【特許請求の範囲】
【請求項１】
端末に適用される同期信号伝送方法であって、
サイドリンク同期信号ブロックを伝送することを含み、
ここで、前記サイドリンク同期信号ブロックは、プライマリサイドリンク同期信号ＰＳＳＳ、及び、セカンダリサイドリンク同期信号ＳＳＳＳを含み、ＰＳＳＳ及びＳＳＳＳは、前記サイドリンク同期信号ブロックが占用する直交周波数分割多重ＯＦＤＭシンボルに分布している、同期信号伝送方法。
【請求項２】
前記ＰＳＳＳ及び前記ＳＳＳＳは、プリセットルールに従って、前記サイドリンク同期信号ブロックが占用するＯＦＤＭシンボルに分布している、請求項１に記載の同期信号伝送方法。
【請求項３】
１つのタイムスロット内に少なくとも２つのサイドリンク同期信号ブロックの候補時間領域位置が含まれる場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置する方式と、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置する方式とのうち、少なくとも１つを含む、請求項２に記載の同期信号伝送方法。
【請求項４】
１つのタイムスロット内に２つのサイドリンク同期信号ブロックの候補時間領域位置が含まれる場合、前記２つのサイドリンク同期信号ブロックのうち、各々のサイドリンク同期信号ブロックの候補時間領域位置の第一シンボルに対応するＯＦＤＭシンボルインデックスは、１４ｎ又は７＋１４ｎであり、
ここで、０≦ｎ＜ｍであり、ｍはサイドリンク同期信号ブロックが占用するタイムスロットの最大数量であり、ｎは０の場合、サイドリンク同期信号ブロックの候補時間領域位置を含む最初のタイムスロットの１番目のＯＦＤＭシンボルに対応する、請求項３に記載の同期信号伝送方法。
【請求項５】
１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置することである、請求項３に記載の同期信号伝送方法。
【請求項６】
１つのサイドリンク同期信号ブロックが占用するＯＦＤＭシンボルの数量が６以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式とのうち、少なくとも１つである、請求項３に記載の同期信号伝送方法。
【請求項７】
サブキャリア間隔が第一間隔であり、且つ、１つのタイムスロット内に２つのサイドリンク同期信号ブロックの候補時間領域位置が含まれる場合、前記２つのサイドリンク同期信号ブロックのうち、各々のサイドリンク同期信号ブロックの候補時間領域位置の第一シンボルに対応するＯＦＤＭシンボルインデックスは、１４ｎ又は７＋１４ｎであり、
ここで、０≦ｎ＜ｍであり、ｍはサイドリンク同期信号ブロックが占用するタイムスロットの最大数量であり、ｎは０の場合、サイドリンク同期信号ブロックの候補時間領域位置を含む最初のタイムスロットの１番目のＯＦＤＭシンボルに対応する、請求項３に記載の同期信号伝送方法。
【請求項８】
サブキャリア間隔が第一間隔のとき、１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置することである、請求項３に記載の同期信号伝送方法。
【請求項９】
サブキャリア間隔が第一間隔のとき、１つのサイドリンク同期信号ブロックが占用するＯＦＤＭシンボルの数量が６以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式とのうち、少なくとも１つである、請求項３に記載の同期信号伝送方法。
【請求項１０】
サブキャリア間隔が第二間隔であり、且つ、１つのタイムスロット内に２つのサイドリンク同期信号ブロックの候補時間領域位置が含まれる場合、前記２つのサイドリンク同期信号ブロックのうち、各々のサイドリンク同期信号ブロックの候補時間領域位置の第一シンボルに対応するＯＦＤＭシンボルインデックスは、ｘ＋１４ｎ又はｙ＋１４ｎであり、
ここで、０≦ｎ＜ｍであり、ｍはサイドリンク同期信号ブロックが占用するタイムスロットの最大数量であり、ｎは０の場合、サイドリンク同期信号ブロックの候補時間領域位置を含む最初のタイムスロットの１番目のＯＦＤＭシンボルに対応し、且つｘの値が０、ｙの値が６又は７となる、請求項３に記載の同期信号伝送方法。
【請求項１１】
サブキャリア間隔が第二間隔のとき、１つのサイドリンク同期信号ブロックが占用するＯＦＤＭシンボルの数量が６以上の場合、前記プリセットルールは、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式とのうち、少なくとも１つである、請求項３に記載の同期信号伝送方法。
【請求項１２】
サブキャリア間隔に１２０ｋＨｚが含まれるとき、１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置することを含む、請求項３に記載の同期信号伝送方法。
【請求項１３】
前記プリセットルールは、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置することを含む、請求項２に記載の同期信号伝送方法。
【請求項１４】
１つのタイムスロット内に１つのサイドリンク同期信号ブロックの候補時間領域位置が含まれる場合、前記プリセットルールは、
前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置する方式と、
前記ＰＳＳＳ及び前記ＳＳＳＳの一方が１つのタイムスロットの２番目及び３番目のＯＦＤＭシンボルに位置し、前記ＰＳＳＳ及び前記ＳＳＳＳの他方が１つのタイムスロットの１２番目及び１３番目のＯＦＤＭシンボルに位置する方式と、
前記ＰＳＳＳ及び前記ＳＳＳＳの一方が１つのタイムスロットの５番目及び７番目のＯＦＤＭシンボルに位置し、前記ＰＳＳＳ及び前記ＳＳＳＳの他方が１つのタイムスロットの１０番目及び１２番目のＯＦＤＭシンボルに位置する方式と、
前記ＰＳＳＳ及び前記ＳＳＳＳの一方が１つのタイムスロットの３番目及び６番目のＯＦＤＭシンボルに位置し、前記ＰＳＳＳ及び前記ＳＳＳＳの他方が１つのタイムスロットの９番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの５番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの４番目及び１１番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの３番目及び９番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの４番目及び１０番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの５番目及び１２番目のＯＦＤＭシンボルに位置する方式とのうち、少なくとも１つを含む、請求項２に記載の同期信号伝送方法。
【請求項１５】
前記プリセットルールは、前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置することである場合か、或いは、
前記ＰＳＳＳ及び前記ＳＳＳＳの一方が１つのタイムスロットの２番目及び３番目のＯＦＤＭシンボルに位置し、前記ＰＳＳＳ及び前記ＳＳＳＳの他方が１つのタイムスロットの１２番目及び１３番目のＯＦＤＭシンボルに位置することである場合、１つのタイムスロットの６番目及び９番目のＯＦＤＭシンボルは、復調基準信号の伝送に用いられる、請求項１４に記載の同期信号伝送方法。
【請求項１６】
サブキャリア間隔が第三間隔のとき、前記プリセットルールは、
前記ＰＳＳＳ及び前記ＳＳＳＳの一方が１つのタイムスロットの３番目及び６番目のＯＦＤＭシンボルに位置し、前記ＰＳＳＳ及び前記ＳＳＳＳの他方が１つのタイムスロットの９番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの５番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの４番目及び１１番目のＯＦＤＭシンボルに位置し、前記ＰＳＳＳ及び前記ＳＳＳＳの他方が１つのタイムスロットの６番目及び１３番目のＯＦＤＭシンボルに位置する方式とのうち、少なくとも１つである、請求項１４に記載の同期信号伝送方法。
【請求項１７】
サブキャリア間隔が第四間隔のとき、前記プリセットルールは、
前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置する方式と、
前記ＰＳＳＳ及び前記ＳＳＳＳの一方が１つのタイムスロットの３番目及び９番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの４番目及び１０番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの５番目及び１２番目のＯＦＤＭシンボルに位置する方式とのうち、少なくとも１つである、請求項１４に記載の同期信号伝送方法。
【請求項１８】
前記ＰＳＳＳは、Ｍシーケンスを用いており、前記Ｍシーケンスには、
の式に従って構成されたシーケンスが含まれ、
ここで、  は前記Ｍシーケンスであり、  は前記Ｍシーケンスのインデックスで、且つ  であり、  はシーケンス  のインデックスで、且つ  であり、  はサイドリンク同期識別子のグループ識別子で、  はサイクリックシフトであり、  は、  の式を用いて取得される、請求項１に記載の同期信号伝送方法。
【請求項１９】
少なくとも２つのサイドリンク同期信号ブロックの候補時間領域位置が時間領域で連続しており、且つ前記少なくとも２つのサイドリンク同期信号ブロックの候補時間領域位置でサイドリンク同期信号ブロックを伝送した場合、前記少なくとも２つのサイドリンク同期信号ブロックの候補時間領域位置におけるサイドリンク同期信号ブロックの伝送方向が同じである、請求項１に記載の同期信号伝送方法。
【請求項２０】
前記サイドリンク同期信号ブロックは、１つの時間ウィンドウ内で伝送される、請求項１に記載の同期信号伝送方法。
【請求項２１】
前記サイドリンク同期信号ブロックは、プリセットされた時間ウィンドウ内で伝送される、請求項１に記載の同期信号伝送方法。
【請求項２２】
端末であって、
サイドリンク同期信号ブロックを伝送するための伝送モジュールを含み、
前記サイドリンク同期信号ブロックは、プライマリサイドリンク同期信号ＰＳＳＳ、及び、セカンダリサイドリンク同期信号ＳＳＳＳを含み、ＰＳＳＳ及びＳＳＳＳは、前記サイドリンク同期信号ブロックが占用する直交周波数分割多重ＯＦＤＭシンボルに分布している、端末。
【請求項２３】
メモリと、プロセッサと、メモリに記憶されてプロセッサ上で実行可能なコンピュータプログラムとを含み、前記コンピュータプログラムが前記プロセッサによって実行されると、請求項１〜２１の何れか一項に記載の同期信号伝送方法が実現される、端末。
【請求項２４】
コンピュータプログラムを記憶したコンピュータ読取可能な記憶媒体であって、前記コンピュータプログラムがプロセッサによって実行されると、請求項１〜２１の何れか一項に記載の同期信号伝送方法が実現される、コンピュータ読取可能な記憶媒体。
【発明の詳細な説明】
【技術分野】
【０００１】
関連出願の相互参照
本願は、２０１８年７月２７日に中国で出願された中国特許出願第２０１８１０８５６３０３．１号の優先権を主張し、その内容の全ては、参照により本願に組み込まれる。
本開示は、通信の技術分野に関し、特に、同期信号伝送方法及び端末に関する。
【背景技術】
【０００２】
ＮＲ（Ｎｅｗ  Ｒａｄｉｏ）システムの設計では、端末によって行われる同期化、システム情報の取得、測定評価等のために、ＮＲ基地局は、ＳＳＢ（Ｓｙｎｃｈｒｏｎｉｚａｔｉｏｎ  Ｓｉｇｎａｌ  Ｂｌｏｃｋであって、ＳＳ／ＰＢＣＨ  ｂｌｏｃｋと呼ばれてもよい）を送信する必要がある。１つのＳＳＢは、ＮＲ同期信号（ＮＲ−ＳＳ）と、ＮＲ物理ブロードキャストチャネル（ＮＲ−ＰＢＣＨ）との２部分で構成され、そのうち、ＮＲ−ＳＳは、ＮＲプライマリ同期信号（ＮＲ−ＰＳＳ）と、ＮＲセカンダリ同期信号（ＮＲ−ＳＳＳ）との２部分に分けられる。１つのＳＳＢに合計４つのシンボルが含まれ、１つのＳＳＢ内では、これらのシンボルの時間領域構成順序がＰＳＳ−ＰＢＣＨ−ＳＳＳ−ＰＢＣＨとなる。
【０００３】
サイドリンク（Ｓｉｄｅｌｉｎｋ）にも、それぞれプライマリサイドリンク同期信号（ＰＳＳＳ）及びセカンダリサイドリンク同期信号（ＳＳＳＳ）と呼ばれる同期シーケンスが含まれる。ＬＴＥ（Ｌｏｎｇ  Ｔｅｒｍ  Ｅｖｏｌｕｔｉｏｎ）サイドリンクにおけるＰＳＳＳシーケンスは、ＺＣシーケンスであり、ＬＴＥプライマリ同期信号（ＰＳＳ）とは異なる論理ルートを使用しているため、ＰＳＳＳシーケンスとＬＴＥのＰＳＳシーケンスとは、本質的に、異なるシーケンスとなる。一方で、ＳＳＳＳは、セカンダリ同期信号（ＳＳＳ）のシーケンス設計を再利用しており、ＰＳＳＳとＰＳＳとが同じＩＤに対応し、ＳＳＳＳとＳＳＳとが同じＩＤに対応している場合、ＳＳＳＳシーケンスとＳＳＳシーケンスとは同様となり、Ｖ２ＸにおけるＰＳＳＳ及びＳＳＳの時間領域構造は、図１に示すようになり、物理共有ブロードキャストチャネル（ＰＳＢＣＨ）、ＰＳＳＳ、ＤＭＲＳ（Ｄｅ−Ｍｏｄｕｌａｔｉｏｎ  Ｒｅｆｅｒｅｎｃｅ  Ｓｉｇｎａｌ）及びＳＳＳＳの分布は、具体的に同図に示すようになる。
【０００４】
関連技術におけるサイドリンク同期信号の設定案は、使用ニーズを満たせなく、ユーザによるサイドリンク同期信号サービスの正常な実行を保証できず、通信の信頼性及び有効性を保証できない。
【発明の概要】
【発明が解決しようとする課題】
【０００５】
本開示の実施例は、関連技術におけるサイドリンク同期信号の設定案が使用ニーズを満たせなく、ユーザによるサイドリンク同期信号サービスの正常な実行を保証できず、通信の信頼性及び有効性を保証できないという課題を解決するための同期信号伝送方法及び端末を提供する。
【課題を解決するための手段】
【０００６】
上記課題を解決するために、本開示には、次の技術案が用いられる。
【０００７】
第一態様において、本開示の実施例は、端末に適用される同期信号伝送方法であって、
サイドリンク同期信号ブロックを伝送するステップを含み、
前記サイドリンク同期信号ブロックは、プライマリサイドリンク同期信号ＰＳＳＳ、及び、セカンダリサイドリンク同期信号ＳＳＳＳを含み、ＰＳＳＳ及びＳＳＳＳは、前記サイドリンク同期信号ブロックが占用する直交周波数分割多重ＯＦＤＭシンボルに分布している、同期信号伝送方法を提供する。
【０００８】
第二態様において、本開示の実施例は、端末であって、
サイドリンク同期信号ブロックを伝送するための伝送モジュールを含み、
前記サイドリンク同期信号ブロックは、プライマリサイドリンク同期信号ＰＳＳＳ、及び、セカンダリサイドリンク同期信号ＳＳＳＳを含み、ＰＳＳＳ及びＳＳＳＳは、前記サイドリンク同期信号ブロックが占用する直交周波数分割多重ＯＦＤＭシンボルに分布している、端末を提供する。
【０００９】
第三態様において、本開示の実施例は、メモリと、プロセッサと、メモリに記憶されてプロセッサ上で実行可能なコンピュータプログラムとを含み、前記コンピュータプログラムが前記プロセッサによって実行されると、上記の同期信号伝送方法のステップが実現される、端末を提供する。
【００１０】
第四態様において、本開示の実施例は、コンピュータプログラムを記憶した記憶媒体であって、前記コンピュータプログラムがプロセッサによって実行されると、上記の同期信号伝送方法のステップが実現される、コンピュータ読取可能な記憶媒体を提供する。
【発明の効果】
【００１１】
本開示の実施例の有益な効果としては、ＰＳＳＳ及びＳＳＳＳを、サイドリンク同期信号ブロックが占用するＯＦＤＭシンボルに分布させることによって、ネットワーク通信フローを完備させ、ネットワーク通信の信頼性を保証することができる。
【００１２】
本願の実施例又は関連技術の技術案をより明瞭に説明するために、以下、実施例又は関連技術の説明に必要な図面を簡単に説明するが、明らかなことに、以下で説明される図面は、あくまでも本願に記載のいくつかの実施例であり、当業者にとっては、創造的な労働を払わずに、これらの図面に基づいて他の図面を得ることができる。
【図面の簡単な説明】
【００１３】
【図１】サイドリンクにおけるＰＳＳＳ及びＳＳＳＳの時間領域構造の模式図を示す。
【図２】ＳＳＢ  ＳＣＳが１５Ｈｚの場合のＳＳＢの時間領域構造の模式図を示す。
【図３】ＳＳＢ  ＳＣＳが１２０ｋＨｚの場合のＳＳＢの時間領域構造の模式図を示す。
【図４】本開示の実施例に係る同期信号伝送方法のフロー模式図を示す。
【図５】１つのタイムスロット内でのＰＳＳＳ及びＳＳＳＳの分布の模式図その１を示す。
【図６】１つのタイムスロット内でのＰＳＳＳ及びＳＳＳＳの分布の模式図その２を示す。
【図７】１つのタイムスロット内でのＰＳＳＳ及びＳＳＳＳの分布の模式図その３を示す。
【図８】１つのタイムスロット内でのＰＳＳＳ及びＳＳＳＳの分布の模式図その４を示す。
【図９】１つのタイムスロット内でのＰＳＳＳ及びＳＳＳＳの分布の模式図その５を示す。
【図１０】１つのタイムスロット内でのＰＳＳＳ及びＳＳＳＳの分布の模式図その６を示す。
【図１１】１つのタイムスロット内でのＰＳＳＳ及びＳＳＳＳの分布の模式図その７を示す。
【図１２】１つのタイムスロット内でのＰＳＳＳ及びＳＳＳＳの分布の模式図その８を示す。
【図１３】１つのタイムスロット内でのＰＳＳＳ及びＳＳＳＳの分布の模式図その９を示す。
【図１４】１つのタイムスロット内でのＰＳＳＳ及びＳＳＳＳの分布の模式図その１０を示す。
【図１５】１つのタイムスロット内でのＰＳＳＳ及びＳＳＳＳの分布の模式図その１１を示す。
【図１６】１つのタイムスロット内でのＰＳＳＳ及びＳＳＳＳの分布の模式図その１２を示す。
【図１７】１つのタイムスロット内でのＰＳＳＳ及びＳＳＳＳの分布の模式図その１３を示す。
【図１８】本開示の実施例に係る端末のモジュール模式図を示す。
【図１９】本開示の実施例に係る端末の構造ブロック図を示す。
【発明を実施するための形態】
【００１４】
以下、本開示の実施例内の図面を参照しながら、本開示の実施例の技術案を明確且つ完全に説明するが、明らかなことに、説明される実施例は本開示の一部の実施例であり、すべての実施例ではない。本開示内の実施例に基づいて、当業者によって創造的な労働を払わずに得られた他の実施例は、全て本開示の保護範囲に含まれるものとする。
【００１５】
本願の明細書及び特許請求の範囲における「第一」、「第二」などの用語は、類似しているオブジェクトを区別するために使用されるものであり、必ずしも特定の順序や前後順番を記述するために使用されるとは限らない。そのように使用されるデータは、適切な状況において互いに交換可能で、それによって、本明細書において記述される本願の実施例は、本明細書において図示又は記述される順序以外の順序で実施可能であることを理解されたい。また、用語「含む」及び「有する」、並びにそれらのあらゆる変体は、非排他的な包含をカバーするものであり、例えば、一連のステップやユニットを含む手順、方法、システム、製品や機器は、明示的に列挙されているこれらのステップやユニットのみを含むことに限定されず、明示的に列挙されていない他のステップやユニット、或いは、これらの手順、方法、製品や機器に固有の他のステップやユニットを含んでもよい。なお、明細書及び特許請求の範囲に使用される「及び／又は」とは、接続対象のうち、少なくとも１つを表すものであり、例えば、「Ａ及び／又はＢ」とは、Ａのみと、Ｂのみと、Ａ及びＢの両方との３つの場合を含む。
【００１６】
本開示の実施例において、「例示的」または「例えば」などの用語は、例、例証または説明するためのものである。本開示の実施例において、「例示的」または「例えば」などの用語で記載されるあらゆる実施例または設計案は、他の実施例や設計案に比較してより好適であったり、より利点を有したりすると解釈されてはならない。適切に言えば、具体的な形態で関連概念を示すために、「例示的」または「例えば」などの用語が使用されている。
【００１７】
以下、図面を参照しながら、本開示の実施例を説明する。本開示の実施例による同期信号伝送方法及び端末は、無線通信システムに適用可能である。当該無線通信システムは、５Ｇ（５ｔｈ  Ｇｅｎｅｒａｔｉｏｎ）移動通信技術を用いたシステム（以下、全て５Ｇシステムと略す）であってもよいが、当業者であれば分かるように、５Ｇ  ＮＲシステムは、一例に過ぎず、これに限定されない。
【００１８】
本開示の実施例の説明にあたって、まずは、以下の説明で使用されるいくつかの概念について、解釈及び説明しておく。
【００１９】
下記の通り、ＳＳＢの時間領域構造は、そのＳＣＳ（ＳｕｂＣａｒｒｉｅｒ  Ｓｐａｃｉｎｇ）と相関を持つ。
【００２０】
例えば、ＳＳＢ  ＳＣＳが１５ｋＨｚの場合、ＳＳＢの時間領域構造は、図２に示すようになる一方で、ＳＳＢ  ＳＣＳが１２０ｋＨｚの場合、ＳＳＢの時間領域構造は、図３に示すようになる。
【００２１】
ＮＲは、０〜１００ＧＨｚに対して同期ラスター（Ｓｙｎｃｈｒｏｎｉｚａｔｉｏｎ  ｒａｓｔｅｒ）を定義しており、同期ラスターの番号がＧＳＣＮ（Ｇｌｏｂａｌ  ＳｙｎＣｈｒｏｎｉｚａｔｉｏｎ  ｒａｓｔｅｒ  Ｎｕｍｂｅｒ）と呼ばれる。基地局は、同期ラスター上でＳＳＢを送信することが可能であり、ユーザは、同期ラスター上でＳＳＢをサーチすることが可能である。同期ラスターの位置は、ＬＴＥのようにその位置するキャリアの中心に固定されるわけではないため、基地局は、より柔軟にキャリアを設定してＳＳＢを送信することができる。
【００２２】
一方、ＮＲは、広帯域幅を取り入れており、高周波帯域では、帯域幅は４００ＭＨｚ、ひいては１ＧＨｚまで達することが可能である。
【００２３】
サイドリンクの稼動周波数帯域は、ＮＲ及び／又は他のサービスの稼動周波数帯域と重なる可能性がある。もしサイドリンクにおける同期信号のラスターと、それに重なっているサービスの同期信号のラスターとが周波数領域で近すぎたり、ひいては重なってしまうと、ユーザは、サイドリンクサービスの同期信号と他のサービスの同期信号とをはっきりと区別できなくなることで、他のサービスの同期信号を誤って復調し、レイテンシ及び電力消費の増大を招いてしまう恐れがある。
【００２４】
説明すべきなのは、サイドリンクサービスとは、サイドリンク上で行われるサービス、即ち、Ｄ２Ｄ（Ｄｅｖｉｃｅ−ｔｏ−Ｄｅｖｉｃｅ）、やＶ２Ｘ（Ｖｅｈｉｃｌｅ−ｔｏ−Ｅｖｅｒｙｔｈｉｎｇ）等のサイドリンク上で行われる通信サービスである。そのうち、Ｖ２Ｘには、主にＶ２Ｖ（Ｖｅｈｉｃｌｅ−ｔｏ−Ｖｅｈｉｃｌｅ）通信、Ｖ２Ｉ（Ｖｅｈｉｃｌｅ−ｔｏ−Ｉｎｆｒａｓｔｒｕｃｔｕｒｅ）通信、Ｖ２Ｎ（Ｖｅｈｉｃｌｅ−ｔｏ−Ｎｅｔｗｏｒｋ）通信、及びＶ２Ｐ（Ｖｅｈｉｃｌｅ−ｔｏ−Ｐｅｄｅｓｔｒｉａｎ）通信が含まれている。
【００２５】
上記課題を解決するために、図４に示すように、本開示の実施例は、端末に適用される同期信号伝送方法であって、
サイドリンク同期信号ブロックを伝送するステップ４０１を含み、
前記サイドリンク同期信号ブロックは、プライマリサイドリンク同期信号（ＰＳＳＳ）、及び、セカンダリサイドリンク同期信号（ＳＳＳＳ）を含み、ＰＳＳＳ及びＳＳＳＳは、前記サイドリンク同期信号ブロックが占用する直交周波数分割多重ＯＦＤＭシンボルに分布している、同期信号伝送方法を提供する。
【００２６】
説明すべきなのは、ここでいうサイドリンク同期信号ブロックを伝送するとは、サイドリンク同期信号ブロックを受信することを含むし、サイドリンク同期信号ブロックを送信することも含む。
【００２７】
なお、当該サイドリンク同期信号ブロックには、例えばブロードキャストチャネル及び／又はサービスステートメントチャネルなどの他のチャネルが更に含まれており、当該サイドリンク同期信号ブロックには、例えばＤＭＲＳ、ＳＲＳ（Ｓｏｕｎｄｉｎｇ  ｒｅｆｅｒｅｎｃｅ  ｓｉｇｎａｌ）などの基準信号が更に含まれてもよい。
【００２８】
更に説明すべきなのは、少なくとも２つのサイドリンク同期信号ブロックの候補時間領域位置が時間領域で連続しており、且つ前記少なくとも２つのサイドリンク同期信号ブロックの候補時間領域位置でサイドリンク同期信号ブロックを伝送した場合（即ち前記少なくとも２つのサイドリンク同期信号ブロックの候補時間領域位置で、サイドリンク同期信号ブロックの伝送を実際に行った場合）、前記少なくとも２つのサイドリンク同期信号ブロックの候補時間領域位置におけるサイドリンク同期信号ブロックの伝送方向が同じであり、即ち、端末は、これらの連続したシンボルにおいて単一の伝送方向を維持すること、つまり、全てが送信とされるか、或いは全てが受信とされるしかないことを希望する。
【００２９】
加えて、２つのサイドリンク同期信号ブロックの候補時間領域位置が時間領域で連続しない場合、もし前記２つのサイドリンク同期信号ブロックの候補時間領域位置でサイドリンク同期信号ブロックの伝送を実際に行っており、且つ隣接する２つのサイドリンク同期信号ブロックの候補時間領域位置の間の少なくとも一部のシンボルが、ＧＰ（ｇｕａｒｄ  ｐｅｒｉｏｄ）を設定するために用いられていると、当該隣接する２つのサイドリンク同期信号ブロックの候補時間領域位置でサイドリンク同期信号ブロックを実際に伝送する際の伝送方向が異なってもよく、即ち、全てが送信とされるか、全てが受信とされるか、或いは、一方が送信とされて他方が受信とされることが可能である。
【００３０】
選択的に、前記サイドリンク同期信号ブロックは、１つの時間ウィンドウ内で伝送される。この場合、サイドリンク同期信号ブロックの伝送時間は、１つの時間ウィンドウと呼ばれる。
【００３１】
選択的に、前記サイドリンク同期信号ブロックは、プリセットされた時間ウィンドウ内で伝送される。この場合、サイドリンク同期信号ブロックは、プリセットされた時間ウィンドウ内でのみ伝送可能である。
【００３２】
更に説明すべきなのは、当該プリセットされた時間ウィンドウは、端末メーカによって予め設定された時間ウィンドウであってもよいし、プロトコルによって定められた時間ウィンドウであってもよく、更に、基地局に設定された時間ウィンドウであってもよい。
【００３３】
具体的に、前記ＰＳＳＳ及び前記ＳＳＳＳは、プリセットルールに従って、前記サイドリンク同期信号ブロックが占用するＯＦＤＭシンボルに分布している。
【００３４】
説明すべきなのは、サイドリンク同期信号ブロックは、タイムスロットに基づいて伝送されてもよいし、サブタイムスロット（又はミニスロット（ｍｉｎｉ−ｓｌｏｔ））に基づいて伝送されてもよく、即ち、１つのタイムスロットには、少なくとも１つのサイドリンク同期信号ブロックの候補時間領域位置が含まれており、１つのタイムスロットに含まれるサイドリンク同期信号ブロックの候補時間領域位置が異なると、上記のプリセットルールも異なるため、以下、それぞれ、１つのタイムスロットに含まれるサイドリンク同期信号ブロックの候補時間領域位置の数量の観点から、上記プリセットルールを次の通りに詳しく説明する。
【００３５】
一、１つのタイムスロット内に少なくとも２つのサイドリンク同期信号ブロックの候補時間領域位置が含まれる。
【００３６】
具体的に、この場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置する方式と、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置する方式とのうち、少なくとも１つを含む。
【００３７】
更に、候補時間領域位置がサブキャリア間隔（ＳＣＳ）と相関を持つかどうかによって、前記プリセットルールの具体的な構成形態も異なる。これについては、次の通りに説明する。
【００３８】
Ａ、サイドリンク同期信号ブロックの候補時間領域位置がサブキャリア間隔と相関を持たない。
【００３９】
この場合、１つのタイムスロット内に２つのサイドリンク同期信号ブロックの候補時間領域位置が含まれる例を取り上げて詳しく説明する。
【００４０】
具体的に、２つのサイドリンク同期信号ブロックのうち、各々のサイドリンク同期信号ブロックの候補時間領域位置の第一シンボルに対応するＯＦＤＭシンボルインデックスは、１４ｎ又は７＋１４ｎであり、
ここで、０≦ｎ＜ｍであり、ｍはサイドリンク同期信号ブロックが占用するタイムスロットの最大数量であり、ｍの取得方式としては、ｍ＝特定の周波数範囲でのサイドリンク同期信号ブロックの最大数量／２となる。
【００４１】
そのうち、ｎは０の場合、サイドリンク同期信号ブロックの候補時間領域位置を含む最初のタイムスロットの１番目のＯＦＤＭシンボルに対応する。
【００４２】
Ａ１、１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置することである。
【００４３】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が５、６、７であると、１つ目のサイドリンク同期信号ブロックの候補時間領域位置のＰＳＳＳが、番号「１」のＯＦＤＭシンボルの位置にあり、２つ目のサイドリンク同期信号ブロックの候補時間領域位置のＰＳＳＳが、番号「８」のＯＦＤＭシンボルの位置にあり、１つ目のサイドリンク同期信号ブロックの候補時間領域位置のＳＳＳＳが、番号「４」のＯＦＤＭシンボルの位置にあり、２つ目のサイドリンク同期信号ブロックの候補時間領域位置のＳＳＳＳが、番号「１１」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「１」のＯＦＤＭシンボルの位置にあり、２つ目のサイドリンク同期信号ブロックの候補時間領域位置のＳＳＳＳが、番号「８」のＯＦＤＭシンボルの位置にあり、１つ目のサイドリンク同期信号ブロックの候補時間領域位置のＰＳＳＳが、番号「４」のＯＦＤＭシンボルの位置にあり、２つ目のサイドリンク同期信号ブロックの候補時間領域位置のＰＳＳＳが、番号「１１」のＯＦＤＭシンボルの位置にある。
【００４４】
図５に示すように、１つのサイドリンク同期信号ブロックが占用するＯＦＤＭシンボルの数量が５であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの２番目のシンボルに位置し、ＳＳＳＳがサイドリンク同期信号ブロックの５番目のシンボルに位置し、つまり、ＳＬ−ＳＳＢ１のＰＳＳＳが、番号「１」のＯＦＤＭシンボルの位置にあり、ＳＬ−ＳＳＢ２のＰＳＳＳが、番号「８」のＯＦＤＭシンボルの位置にあり、ＳＬ−ＳＳＢ１のＳＳＳＳが、番号「４」のＯＦＤＭシンボルの位置にあり、ＳＬ−ＳＳＢ２のＳＳＳＳが、番号「１１」のＯＦＤＭシンボルの位置にある。
【００４５】
選択的に、別のケースとしては、ＰＳＳＳとＳＳＳＳとの位置を互換することであり、即ち、ＳＳＳＳがサイドリンク同期信号ブロックの２番目のシンボルに位置し、ＰＳＳＳがサイドリンク同期信号ブロックの５番目のシンボルに位置する。
【００４６】
図６に示すように、１つのサイドリンク同期信号ブロックが占用するＯＦＤＭシンボルの数量が６であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの２番目のシンボルに位置し、ＳＳＳＳがサイドリンク同期信号ブロックの５番目のシンボルに位置し、つまり、ＳＬ−ＳＳＢ１のＰＳＳＳが、番号「１」のＯＦＤＭシンボルの位置にあり、ＳＬ−ＳＳＢ２のＰＳＳＳが、番号「８」のＯＦＤＭシンボルの位置にあり、ＳＬ−ＳＳＢ１のＳＳＳＳが、番号「４」のＯＦＤＭシンボルの位置にあり、ＳＬ−ＳＳＢ２のＳＳＳＳが、番号「１１」のＯＦＤＭシンボルの位置にある。
【００４７】
選択的に、別のケースとしては、ＰＳＳＳとＳＳＳＳとの位置を互換することであり、即ち、ＳＳＳＳがサイドリンク同期信号ブロックの２番目のシンボルに位置し、ＰＳＳＳがサイドリンク同期信号ブロックの５番目のシンボルに位置する。
【００４８】
Ａ２、１つのサイドリンク同期信号ブロックが占用するＯＦＤＭシンボルの数量が６以上の場合、前記プリセットルールは、以下の方式のうち、少なくとも１つである。
【００４９】
Ａ２１、前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式である。
【００５０】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が６、７であると、１つ目のサイドリンク同期信号ブロックの候補時間領域位置のＰＳＳＳが、番号「１」のＯＦＤＭシンボルの位置にあり、２つ目のサイドリンク同期信号ブロックの候補時間領域位置のＰＳＳＳが、番号「８」のＯＦＤＭシンボルの位置にあり、１つ目のサイドリンク同期信号ブロックの候補時間領域位置のＳＳＳＳが、番号「５」のＯＦＤＭシンボルの位置にあり、２つ目のサイドリンク同期信号ブロックの候補時間領域位置のＳＳＳＳが、番号「１２」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「１」のＯＦＤＭシンボルの位置にあり、２つ目のサイドリンク同期信号ブロックの候補時間領域位置のＳＳＳＳが、番号「８」のＯＦＤＭシンボルの位置にあり、１つ目のサイドリンク同期信号ブロックの候補時間領域位置のＰＳＳＳが、番号「５」のＯＦＤＭシンボルの位置にあり、２つ目のサイドリンク同期信号ブロックの候補時間領域位置のＰＳＳＳが、番号「１２」のＯＦＤＭシンボルの位置にある。
【００５１】
図７に示すように、１つのサイドリンク同期信号ブロックが占用するＯＦＤＭシンボルの数量が６であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの２番目のシンボルに位置し、ＳＳＳＳがサイドリンク同期信号ブロックの６番目のシンボルに位置し、つまり、ＳＬ−ＳＳＢ１のＰＳＳＳが、番号「１」のＯＦＤＭシンボルの位置にあり、ＳＬ−ＳＳＢ２のＰＳＳＳが、番号「８」のＯＦＤＭシンボルの位置にあり、ＳＬ−ＳＳＢ１のＳＳＳＳが、番号「５」のＯＦＤＭシンボルの位置にあり、ＳＬ−ＳＳＢ２のＳＳＳＳが、番号「１２」のＯＦＤＭシンボルの位置にある。
【００５２】
選択的に、別のケースとしては、ＰＳＳＳとＳＳＳＳとの位置を互換することであり、即ち、ＳＳＳＳがサイドリンク同期信号ブロックの２番目のシンボルに位置し、ＰＳＳＳがサイドリンク同期信号ブロックの６番目のシンボルに位置する。
【００５３】
Ａ２２、前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式である。
【００５４】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が６、７であると、１つ目のサイドリンク同期信号ブロックの候補時間領域位置のＰＳＳＳが、番号「２」のＯＦＤＭシンボルの位置にあり、２つ目のサイドリンク同期信号ブロックの候補時間領域位置のＰＳＳＳが、番号「９」のＯＦＤＭシンボルの位置にあり、１つ目のサイドリンク同期信号ブロックの候補時間領域位置のＳＳＳＳが、番号「５」のＯＦＤＭシンボルの位置にあり、２つ目のサイドリンク同期信号ブロックの候補時間領域位置のＳＳＳＳが、番号「１２」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「２」のＯＦＤＭシンボルの位置にあり、２つ目のサイドリンク同期信号ブロックの候補時間領域位置のＳＳＳＳが、番号「９」のＯＦＤＭシンボルの位置にあり、１つ目のサイドリンク同期信号ブロックの候補時間領域位置のＰＳＳＳが、番号「５」のＯＦＤＭシンボルの位置にあり、２つ目のサイドリンク同期信号ブロックの候補時間領域位置のＰＳＳＳが、番号「１２」のＯＦＤＭシンボルの位置にある。
【００５５】
図８に示すように、１つのサイドリンク同期信号ブロックが占用するＯＦＤＭシンボルの数量が６であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの３番目のシンボルに位置し、ＳＳＳＳがサイドリンク同期信号ブロックの６番目のシンボルに位置し、つまり、ＳＬ−ＳＳＢ１のＰＳＳＳが、番号「２」のＯＦＤＭシンボルの位置にあり、ＳＬ−ＳＳＢ２のＰＳＳＳが、番号「９」のＯＦＤＭシンボルの位置にあり、ＳＬ−ＳＳＢ１のＳＳＳＳが、番号「５」のＯＦＤＭシンボルの位置にあり、ＳＬ−ＳＳＢ２のＳＳＳＳが、番号「１２」のＯＦＤＭシンボルの位置にある。
【００５６】
選択的に、別のケースとしては、ＰＳＳＳとＳＳＳＳとの位置を互換することであり、即ち、ＳＳＳＳがサイドリンク同期信号ブロックの３番目のシンボルに位置し、ＰＳＳＳがサイドリンク同期信号ブロックの６番目のシンボルに位置する。
【００５７】
Ａ２３、前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式である。
【００５８】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が６、７であると、１つ目のサイドリンク同期信号ブロックの候補時間領域位置のＰＳＳＳが、番号「３」のＯＦＤＭシンボルの位置にあり、２つ目のサイドリンク同期信号ブロックの候補時間領域位置のＰＳＳＳが、番号「１０」のＯＦＤＭシンボルの位置にあり、１つ目のサイドリンク同期信号ブロックの候補時間領域位置のＳＳＳＳが、番号「５」のＯＦＤＭシンボルの位置にあり、２つ目のサイドリンク同期信号ブロックの候補時間領域位置のＳＳＳＳが、番号「１２」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「３」のＯＦＤＭシンボルの位置にあり、２つ目のサイドリンク同期信号ブロックの候補時間領域位置のＳＳＳＳが、番号「１０」のＯＦＤＭシンボルの位置にあり、１つ目のサイドリンク同期信号ブロックの候補時間領域位置のＰＳＳＳが、番号「５」のＯＦＤＭシンボルの位置にあり、２つ目のサイドリンク同期信号ブロックの候補時間領域位置のＰＳＳＳが、番号「１２」のＯＦＤＭシンボルの位置にある。
【００５９】
図９に示すように、１つのサイドリンク同期信号ブロックが占用するＯＦＤＭシンボルの数量が６であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの４番目のシンボルに位置し、ＳＳＳＳがサイドリンク同期信号ブロックの６番目のシンボルに位置し、つまり、ＳＬ−ＳＳＢ１のＰＳＳＳが、番号「３」のＯＦＤＭシンボルの位置にあり、ＳＬ−ＳＳＢ２のＰＳＳＳが、番号「１０」のＯＦＤＭシンボルの位置にあり、ＳＬ−ＳＳＢ１のＳＳＳＳが、番号「５」のＯＦＤＭシンボルの位置にあり、ＳＬ−ＳＳＢ２のＳＳＳＳが、番号「１２」のＯＦＤＭシンボルの位置にある。
【００６０】
選択的に、別のケースとしては、ＰＳＳＳとＳＳＳＳとの位置を互換することであり、即ち、ＳＳＳＳがサイドリンク同期信号ブロックの４番目のシンボルに位置し、ＰＳＳＳがサイドリンク同期信号ブロックの６番目のシンボルに位置する。
【００６１】
Ｂ、前記サイドリンク同期信号ブロックの候補時間領域位置がサブキャリア間隔と相関を持つ。
【００６２】
Ｂ１、サブキャリア間隔が第一間隔である。
【００６３】
１つのタイムスロット内に２つのサイドリンク同期信号ブロックの候補時間領域位置が含まれる場合、前記２つのサイドリンク同期信号ブロックのうち、各々のサイドリンク同期信号ブロックの候補時間領域位置の第一シンボルに対応するＯＦＤＭシンボルインデックスは、１４ｎ又は７＋１４ｎであり、
ここで、０≦ｎ＜ｍであり、ｍはサイドリンク同期信号ブロックが占用するタイムスロットの最大数量であり、ｍの取得方式としては、ｍ＝第一間隔でのサイドリンク同期信号ブロックの最大数量／２となり、そのうち、ｎは０の場合、サイドリンク同期信号ブロックの候補時間領域位置を含む最初のタイムスロットの１番目のＯＦＤＭシンボルに対応する。
【００６４】
Ｂ１１、１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置することである。
【００６５】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が５、６、７であると、１つ目のサイドリンク同期信号ブロックの候補時間領域位置のＰＳＳＳが、番号「１」のＯＦＤＭシンボルの位置にあり、２つ目のサイドリンク同期信号ブロックの候補時間領域位置のＰＳＳＳが、番号「８」のＯＦＤＭシンボルの位置にあり、１つ目のサイドリンク同期信号ブロックの候補時間領域位置のＳＳＳＳが、番号「４」のＯＦＤＭシンボルの位置にあり、２つ目のサイドリンク同期信号ブロックの候補時間領域位置のＳＳＳＳが、番号「１１」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「１」のＯＦＤＭシンボルの位置にあり、２つ目のサイドリンク同期信号ブロックの候補時間領域位置のＳＳＳＳが、番号「８」のＯＦＤＭシンボルの位置にあり、１つ目のサイドリンク同期信号ブロックの候補時間領域位置のＰＳＳＳが、番号「４」のＯＦＤＭシンボルの位置にあり、２つ目のサイドリンク同期信号ブロックの候補時間領域位置のＰＳＳＳが、番号「１１」のＯＦＤＭシンボルの位置にある。
【００６６】
具体的に、この場合、１つのサイドリンク同期信号ブロックが占用するＯＦＤＭシンボルの数量が５のとき、１つのサイドリンク同期信号ブロックの候補時間領域位置のＰＳＳＳのＯＦＤＭシンボルの番号がＳＳＳＳのＯＦＤＭシンボルの番号よりも小さいと、図５の分布状況を参照でき、１つのサイドリンク同期信号ブロックが占用するＯＦＤＭシンボルの数量が６のとき、１つのサイドリンク同期信号ブロックの候補時間領域位置のＰＳＳＳのＯＦＤＭシンボルの番号がＳＳＳＳのＯＦＤＭシンボルの番号よりも小さいと、図６の分布状況を参照できる。
【００６７】
Ｂ１２、１つのサイドリンク同期信号ブロックが占用するＯＦＤＭシンボルの数量が６以上の場合、前記プリセットルールは、以下の方式のうち、少なくとも１つである。
【００６８】
Ｂ１２１、前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式である。
【００６９】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が６、７であると、１つ目のサイドリンク同期信号ブロックの候補時間領域位置のＰＳＳＳが、番号「１」のＯＦＤＭシンボルの位置にあり、２つ目のサイドリンク同期信号ブロックの候補時間領域位置のＰＳＳＳが、番号「８」のＯＦＤＭシンボルの位置にあり、１つ目のサイドリンク同期信号ブロックの候補時間領域位置のＳＳＳＳが、番号「５」のＯＦＤＭシンボルの位置にあり、２つ目のサイドリンク同期信号ブロックの候補時間領域位置のＳＳＳＳが、番号「１２」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「１」のＯＦＤＭシンボルの位置にあり、２つ目のサイドリンク同期信号ブロックの候補時間領域位置のＳＳＳＳが、番号「８」のＯＦＤＭシンボルの位置にあり、１つ目のサイドリンク同期信号ブロックの候補時間領域位置のＰＳＳＳが、番号「５」のＯＦＤＭシンボルの位置にあり、２つ目のサイドリンク同期信号ブロックの候補時間領域位置のＰＳＳＳが、番号「１２」のＯＦＤＭシンボルの位置にある。
【００７０】
具体的に、この場合、１つのサイドリンク同期信号ブロックが占用するＯＦＤＭシンボルの数量が６のとき、１つのサイドリンク同期信号ブロックの候補時間領域位置のＰＳＳＳのＯＦＤＭシンボルの番号がＳＳＳＳのＯＦＤＭシンボルの番号よりも小さいと、図７の分布状況を参照できる。
【００７１】
Ｂ１２２、前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式である。
【００７２】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が６、７であると、１つ目のサイドリンク同期信号ブロックの候補時間領域位置のＰＳＳＳが、番号「２」のＯＦＤＭシンボルの位置にあり、２つ目のサイドリンク同期信号ブロックの候補時間領域位置のＰＳＳＳが、番号「９」のＯＦＤＭシンボルの位置にあり、１つ目のサイドリンク同期信号ブロックの候補時間領域位置のＳＳＳＳが、番号「５」のＯＦＤＭシンボルの位置にあり、２つ目のサイドリンク同期信号ブロックの候補時間領域位置のＳＳＳＳが、番号「１２」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「２」のＯＦＤＭシンボルの位置にあり、２つ目のサイドリンク同期信号ブロックの候補時間領域位置のＳＳＳＳが、番号「９」のＯＦＤＭシンボルの位置にあり、１つ目のサイドリンク同期信号ブロックの候補時間領域位置のＰＳＳＳが、番号「５」のＯＦＤＭシンボルの位置にあり、２つ目のサイドリンク同期信号ブロックの候補時間領域位置のＰＳＳＳが、番号「１２」のＯＦＤＭシンボルの位置にある。
【００７３】
具体的に、この場合、１つのサイドリンク同期信号ブロックが占用するＯＦＤＭシンボルの数量が６のとき、１つのサイドリンク同期信号ブロックの候補時間領域位置のＰＳＳＳのＯＦＤＭシンボルの番号がＳＳＳＳのＯＦＤＭシンボルの番号よりも小さいと、図８の分布状況を参照できる。
【００７４】
Ｂ１２３、前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式である。
【００７５】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が６、７であると、１つ目のサイドリンク同期信号ブロックの候補時間領域位置のＰＳＳＳが、番号「３」のＯＦＤＭシンボルの位置にあり、２つ目のサイドリンク同期信号ブロックの候補時間領域位置のＰＳＳＳが、番号「１０」のＯＦＤＭシンボルの位置にあり、１つ目のサイドリンク同期信号ブロックの候補時間領域位置のＳＳＳＳが、番号「５」のＯＦＤＭシンボルの位置にあり、２つ目のサイドリンク同期信号ブロックの候補時間領域位置のＳＳＳＳが、番号「１２」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「３」のＯＦＤＭシンボルの位置にあり、２つ目のサイドリンク同期信号ブロックの候補時間領域位置のＳＳＳＳが、番号「１０」のＯＦＤＭシンボルの位置にあり、１つ目のサイドリンク同期信号ブロックの候補時間領域位置のＰＳＳＳが、番号「５」のＯＦＤＭシンボルの位置にあり、２つ目のサイドリンク同期信号ブロックの候補時間領域位置のＰＳＳＳが、番号「１２」のＯＦＤＭシンボルの位置にある。
【００７６】
具体的に、この場合、１つのサイドリンク同期信号ブロックが占用するＯＦＤＭシンボルの数量が６のとき、１つのサイドリンク同期信号ブロックの候補時間領域位置のＰＳＳＳのＯＦＤＭシンボルの番号がＳＳＳＳのＯＦＤＭシンボルの番号よりも小さいと、図９の分布状況を参照できる。
【００７７】
Ｂ２、サブキャリア間隔が第二間隔である。
【００７８】
１つのタイムスロット内に２つのサイドリンク同期信号ブロックの候補時間領域位置が含まれる場合、前記２つのサイドリンク同期信号ブロックのうち、各々のサイドリンク同期信号ブロックの候補時間領域位置の第一シンボルに対応するＯＦＤＭシンボルインデックスは、ｘ＋１４ｎ又はｙ＋１４ｎであり、
ここで、０≦ｎ＜ｍであり、ｍはサイドリンク同期信号ブロックが占用するタイムスロットの最大数量であり、ｍの取得方式としては、ｍ＝第二間隔でのサイドリンク同期信号ブロックの最大数量／２となり、そのうち、ｎは０の場合、サイドリンク同期信号ブロックの候補時間領域位置を含む最初のタイムスロットの１番目のＯＦＤＭシンボルに対応し、且つｘの値が０、ｙの値が６又は７となる。
【００７９】
そのうち、第二間隔が１２０ｋＨｚの場合、ｙ＝７となる。
【００８０】
Ｂ２１、１つのサイドリンク同期信号ブロックが占用するＯＦＤＭシンボルの数量が６以上の場合、前記プリセットルールは、以下の方式のうち、少なくとも１つである。
【００８１】
Ｂ２１１、前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式である。
【００８２】
図１０に示すように、１つのサイドリンク同期信号ブロックが占用するＯＦＤＭシンボルの数量が６であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの３番目のシンボルに位置し、ＳＳＳＳがサイドリンク同期信号ブロックの６番目のシンボルに位置し、つまり、ＳＬ−ＳＳＢ１のＰＳＳＳが、番号「２」のＯＦＤＭシンボルの位置にあり、ＳＬ−ＳＳＢ２のＰＳＳＳが、番号「８」のＯＦＤＭシンボルの位置にあり、ＳＬ−ＳＳＢ１のＳＳＳＳが、番号「５」のＯＦＤＭシンボルの位置にあり、ＳＬ−ＳＳＢ２のＳＳＳＳが、番号「１１」のＯＦＤＭシンボルの位置にある。
【００８３】
選択的に、別のケースとしては、ＰＳＳＳとＳＳＳＳとの位置を互換することであり、即ち、ＳＳＳＳがサイドリンク同期信号ブロックの３番目のシンボルに位置し、ＰＳＳＳがサイドリンク同期信号ブロックの６番目のシンボルに位置する。
【００８４】
Ｂ２１２、前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式である。
【００８５】
図１１に示すように、１つのサイドリンク同期信号ブロックが占用するＯＦＤＭシンボルの数量が６であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの４番目のシンボルに位置し、ＳＳＳＳがサイドリンク同期信号ブロックの６番目のシンボルに位置し、つまり、ＳＬ−ＳＳＢ１のＰＳＳＳが、番号「３」のＯＦＤＭシンボルの位置にあり、ＳＬ−ＳＳＢ２のＰＳＳＳが、番号「９」のＯＦＤＭシンボルの位置にあり、ＳＬ−ＳＳＢ１のＳＳＳＳが、番号「５」のＯＦＤＭシンボルの位置にあり、ＳＬ−ＳＳＢ２のＳＳＳＳが、番号「１１」のＯＦＤＭシンボルの位置にある。
【００８６】
選択的に、別のケースとしては、ＰＳＳＳとＳＳＳＳとの位置を互換することであり、即ち、ＳＳＳＳがサイドリンク同期信号ブロックの４番目のシンボルに位置し、ＰＳＳＳがサイドリンク同期信号ブロックの６番目のシンボルに位置する。
【００８７】
Ｂ２２、前記第二間隔に１２０ｋＨｚが含まれ、且つ、１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置することを含む。
【００８８】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が５、６、７であると、１つ目のサイドリンク同期信号ブロックの候補時間領域位置のＰＳＳＳが、番号「２」のＯＦＤＭシンボルの位置にあり、２つ目のサイドリンク同期信号ブロックの候補時間領域位置のＰＳＳＳが、番号「９」のＯＦＤＭシンボルの位置にあり、１つ目のサイドリンク同期信号ブロックの候補時間領域位置のＳＳＳＳが、番号「４」のＯＦＤＭシンボルの位置にあり、２つ目のサイドリンク同期信号ブロックの候補時間領域位置のＳＳＳＳが、番号「１１」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「２」のＯＦＤＭシンボルの位置にあり、２つ目のサイドリンク同期信号ブロックの候補時間領域位置のＳＳＳＳが、番号「９」のＯＦＤＭシンボルの位置にあり、１つ目のサイドリンク同期信号ブロックの候補時間領域位置のＰＳＳＳが、番号「４」のＯＦＤＭシンボルの位置にあり、２つ目のサイドリンク同期信号ブロックの候補時間領域位置のＰＳＳＳが、番号「１１」のＯＦＤＭシンボルの位置にある。
【００８９】
図１２に示すように、１つのサイドリンク同期信号ブロックが占用するＯＦＤＭシンボルの数量が５であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの３番目のシンボルに位置し、ＳＳＳＳがサイドリンク同期信号ブロックの５番目のシンボルに位置し、つまり、ＳＬ−ＳＳＢ１のＰＳＳＳが、番号「２」のＯＦＤＭシンボルの位置にあり、ＳＬ−ＳＳＢ２のＰＳＳＳが、番号「９」のＯＦＤＭシンボルの位置にあり、ＳＬ−ＳＳＢ１のＳＳＳＳが、番号「４」のＯＦＤＭシンボルの位置にあり、ＳＬ−ＳＳＢ２のＳＳＳＳが、番号「１１」のＯＦＤＭシンボルの位置にある。
【００９０】
選択的に、別のケースとしては、ＰＳＳＳとＳＳＳＳとの位置を互換することであり、即ち、ＳＳＳＳがサイドリンク同期信号ブロックの３番目のシンボルに位置し、ＰＳＳＳがサイドリンク同期信号ブロックの５番目のシンボルに位置する。
【００９１】
説明すべきなのは、上記の第一間隔に含まれる周波数と、第二間隔に含まれる周波数とは、少なくとも一部が異なり、例えば、１５ｋＨｚ、３０ｋＨｚ、６０ｋＨｚ、１２０ｋＨｚ及び２４０ｋＨｚを、その中の一部が第一間隔に属して他の一部が第二間隔に属するように分割し、一例としては、第一間隔が１５ｋＨｚ及び３０ｋＨｚを含み、第二間隔が６０ｋＨｚ、１２０ｋＨｚ及び２４０ｋＨｚを含むが、説明すべきなのは、上記は第一間隔及び第二間隔の分割ケースの１つに過ぎず、実際の応用においては、これに限定されない。
【００９２】
Ｃ、サブキャリア間隔を考慮しない場合。
【００９３】
具体的に、前記プリセットルールは、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置することを含む。
【００９４】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が５、６、７であると、１つ目のサイドリンク同期信号ブロックの候補時間領域位置のＰＳＳＳが、番号「２」のＯＦＤＭシンボルの位置にあり、２つ目のサイドリンク同期信号ブロックの候補時間領域位置のＰＳＳＳが、番号「９」のＯＦＤＭシンボルの位置にあり、１つ目のサイドリンク同期信号ブロックの候補時間領域位置のＳＳＳＳが、番号「４」のＯＦＤＭシンボルの位置にあり、２つ目のサイドリンク同期信号ブロックの候補時間領域位置のＳＳＳＳが、番号「１１」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「２」のＯＦＤＭシンボルの位置にあり、２つ目のサイドリンク同期信号ブロックの候補時間領域位置のＳＳＳＳが、番号「９」のＯＦＤＭシンボルの位置にあり、１つ目のサイドリンク同期信号ブロックの候補時間領域位置のＰＳＳＳが、番号「４」のＯＦＤＭシンボルの位置にあり、２つ目のサイドリンク同期信号ブロックの候補時間領域位置のＰＳＳＳが、番号「１１」のＯＦＤＭシンボルの位置にある。
【００９５】
１つのサイドリンク同期信号ブロックが占用するＯＦＤＭシンボルの数量が５であり、且つ、１つのタイムスロット内に２つのサイドリンク同期信号ブロックが含まれるとき、１つのサイドリンク同期信号ブロックの候補時間領域位置のＰＳＳＳのＯＦＤＭシンボルの番号がＳＳＳＳのＯＦＤＭシンボルの番号よりも小さいと、図１２の分布状況を参照できる。
【００９６】
図１３に示すように、１つのサイドリンク同期信号ブロックが占用するＯＦＤＭシンボルの数量が６であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの３番目のシンボルに位置し、ＳＳＳＳがサイドリンク同期信号ブロックの５番目のシンボルに位置し、つまり、ＳＬ−ＳＳＢ１のＰＳＳＳが、番号「２」のＯＦＤＭシンボルの位置にあり、ＳＬ−ＳＳＢ２のＰＳＳＳが、番号「９」のＯＦＤＭシンボルの位置にあり、ＳＬ−ＳＳＢ１のＳＳＳＳが、番号「４」のＯＦＤＭシンボルの位置にあり、ＳＬ−ＳＳＢ２のＳＳＳＳが、番号「１１」のＯＦＤＭシンボルの位置にある。
【００９７】
選択的に、別のケースとしては、ＰＳＳＳとＳＳＳＳとの位置を互換することであり、即ち、ＳＳＳＳがサイドリンク同期信号ブロックの３番目のシンボルに位置し、ＰＳＳＳがサイドリンク同期信号ブロックの５番目のシンボルに位置する。
【００９８】
二、１つのタイムスロット内に１つのサイドリンク同期信号ブロックの候補時間領域位置が含まれる。
【００９９】
説明すべきなのは、この場合、サイドリンク同期信号ブロックという概念がないとして捉えることが可能であり、即ち、ＰＳＳＳ及びＳＳＳＳは、直接にＯＦＤＭシンボルの位置に従って分布する。
【０１００】
具体的に、この場合、前記プリセットルールは、
前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置する方式と、
前記ＰＳＳＳ及び前記ＳＳＳＳの一方が１つのタイムスロットの２番目及び３番目のＯＦＤＭシンボルに位置し、前記ＰＳＳＳ及び前記ＳＳＳＳの他方が１つのタイムスロットの１２番目及び１３番目のＯＦＤＭシンボルに位置する方式と、
前記ＰＳＳＳ及び前記ＳＳＳＳの一方が１つのタイムスロットの５番目及び７番目のＯＦＤＭシンボルに位置し、前記ＰＳＳＳ及び前記ＳＳＳＳの他方が１つのタイムスロットの１０番目及び１２番目のＯＦＤＭシンボルに位置する方式と、
前記ＰＳＳＳ及び前記ＳＳＳＳの一方が１つのタイムスロットの３番目及び６番目のＯＦＤＭシンボルに位置し、前記ＰＳＳＳ及び前記ＳＳＳＳの他方が１つのタイムスロットの９番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの５番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの４番目及び１１番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの３番目及び９番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの４番目及び１０番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの５番目及び１２番目のＯＦＤＭシンボルに位置する方式とのうち、少なくとも１つを含む。
【０１０１】
Ｄ、サイドリンク同期信号ブロックの候補時間領域位置がサブキャリア間隔と相関を持たない。
【０１０２】
この場合、前記プリセットルールは、以下の方式のうち、少なくとも１つである。
【０１０３】
Ｄ１、前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置する方式である。
【０１０４】
図１４に示すように、１つのタイムスロット内には、最大で１つのサイドリンク同期信号ブロックの候補時間領域位置が含まれ、ＰＳＳＳが３番目及び４番目のＯＦＤＭシンボルに位置し、ＳＳＳＳが１１番目及び１２番目のＯＦＤＭシンボルに位置し、つまり、ＰＳＳＳが、番号「２」及び「３」のＯＦＤＭシンボルの位置にあり、ＳＳＳＳが、番号「１０」及び「１１」のＯＦＤＭシンボルの位置にある。
【０１０５】
選択的に、別のケースとしては、ＰＳＳＳとＳＳＳＳとの位置を互換することであり、即ち、ＳＳＳＳが、番号「２」及び「３」のＯＦＤＭシンボルの位置にあり、ＰＳＳＳが、番号「１０」及び「１１」のＯＦＤＭシンボルの位置にある。
【０１０６】
更に説明すべきなのは、この場合、１つのタイムスロットの６番目及び９番目のＯＦＤＭシンボルは、復調基準信号の伝送に用いられ、即ち、番号「５」及び「８」のＯＦＤＭシンボルの位置が復調基準信号の伝送に用いられる。
【０１０７】
Ｄ２、前記ＰＳＳＳ及び前記ＳＳＳＳの一方が１つのタイムスロットの２番目及び３番目のＯＦＤＭシンボルに位置し、前記ＰＳＳＳ及び前記ＳＳＳＳの他方が１つのタイムスロットの１２番目及び１３番目のＯＦＤＭシンボルに位置する方式である。
【０１０８】
図１５に示すように、１つのタイムスロット内には、最大で１つのサイドリンク同期信号ブロックの候補時間領域位置が含まれ、ＰＳＳＳが、２番目及び３番目のＯＦＤＭシンボルに位置し、ＳＳＳＳが、１２番目及び１３番目のＯＦＤＭシンボルに位置し、つまり、ＰＳＳＳが、番号「１」及び「２」のＯＦＤＭシンボルの位置にあり、ＳＳＳＳが、番号「１１」及び「１２」のＯＦＤＭシンボルの位置にある。
【０１０９】
選択的に、別のケースとしては、ＰＳＳＳとＳＳＳＳとの位置を互換することであり、即ち、ＳＳＳＳが、番号「１」及び「２」のＯＦＤＭシンボルの位置にあり、ＰＳＳＳが、番号「１１」及び「１２」のＯＦＤＭシンボルの位置にある。
【０１１０】
更に説明すべきなのは、この場合、１つのタイムスロットの６番目及び９番目のＯＦＤＭシンボルは、復調基準信号の伝送に用いられ、即ち、番号「５」及び「８」のＯＦＤＭシンボルの位置が復調基準信号の伝送に用いられる。
【０１１１】
Ｄ３、前記ＰＳＳＳ及び前記ＳＳＳＳの一方が１つのタイムスロットの５番目及び７番目のＯＦＤＭシンボルに位置し、前記ＰＳＳＳ及び前記ＳＳＳＳの他方が１つのタイムスロットの１０番目及び１２番目のＯＦＤＭシンボルに位置する方式である。
【０１１２】
図１６に示すように、１つのタイムスロット内には、最大で１つのサイドリンク同期信号ブロックの候補時間領域位置が含まれ、ＰＳＳＳが５番目及び７番目のＯＦＤＭシンボルに位置し、ＳＳＳＳが１０番目及び１２番目のＯＦＤＭシンボルに位置し、つまり、ＰＳＳＳが、番号「４」及び「６」のＯＦＤＭシンボルの位置にあり、ＳＳＳＳが、番号「９」及び「１１」のＯＦＤＭシンボルの位置にある。
【０１１３】
選択的に、別のケースとしては、ＰＳＳＳとＳＳＳＳとの位置を互換することであり、即ち、ＳＳＳＳが、番号「４」及び「６」のＯＦＤＭシンボルの位置にあり、ＰＳＳＳが、番号「９」及び「１１」のＯＦＤＭシンボルの位置にある。
【０１１４】
Ｄ４、前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの５番目及び１２番目のＯＦＤＭシンボルに位置する方式である。
【０１１５】
Ｄ５、前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの６番目及び１３番目のＯＦＤＭシンボルに位置する方式である。
【０１１６】
Ｄ６、前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの６番目及び１３番目のＯＦＤＭシンボルに位置する方式である。
【０１１７】
Ｄ７、前記ＰＳＳＳ及び前記ＳＳＳＳの一方が１つのタイムスロットの４番目及び１１番目のＯＦＤＭシンボルに位置し、前記ＰＳＳＳ及び前記ＳＳＳＳの他方が１つのタイムスロットの６番目及び１３番目のＯＦＤＭシンボルに位置する方式である。
【０１１８】
Ｅ、サイドリンク同期信号ブロックの候補時間領域位置がサブキャリア間隔と相関を持つ。
【０１１９】
Ｅ１、サブキャリア間隔が第三間隔である。
【０１２０】
この場合、前記プリセットルールは、以下の方式のうち、少なくとも１つである。
【０１２１】
Ｅ１１、前記ＰＳＳＳ及び前記ＳＳＳＳの一方が１つのタイムスロットの３番目及び６番目のＯＦＤＭシンボルに位置し、前記ＰＳＳＳ及び前記ＳＳＳＳの他方が１つのタイムスロットの９番目及び１２番目のＯＦＤＭシンボルに位置する方式である。
【０１２２】
図１７に示すように、１つのタイムスロット内には、最大で１つのサイドリンク同期信号ブロックの候補時間領域位置が含まれ、ＰＳＳＳが３番目及び６番目のＯＦＤＭシンボルに位置し、ＳＳＳＳが９番目及び１２番目のＯＦＤＭシンボルに位置し、つまり、ＰＳＳＳが、番号「２」及び「５」のＯＦＤＭシンボルの位置にあり、ＳＳＳＳが、番号「８」及び「１１」のＯＦＤＭシンボルの位置にある。
【０１２３】
選択的に、別のケースとしては、ＰＳＳＳとＳＳＳＳとの位置を互換することであり、即ち、ＳＳＳＳが、番号「２」及び「５」のＯＦＤＭシンボルの位置にあり、ＰＳＳＳが、番号「８」及び「１１」のＯＦＤＭシンボルの位置にある。
【０１２４】
Ｅ１２、前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの５番目及び１２番目のＯＦＤＭシンボルに位置する方式である。
【０１２５】
Ｅ１３、前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの６番目及び１３番目のＯＦＤＭシンボルに位置する方式である。
【０１２６】
Ｅ１４、前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの６番目及び１３番目のＯＦＤＭシンボルに位置する方式である。
【０１２７】
Ｅ１５、前記ＰＳＳＳ及び前記ＳＳＳＳの一方が１つのタイムスロットの４番目及び１１番目のＯＦＤＭシンボルに位置し、前記ＰＳＳＳ及び前記ＳＳＳＳの他方が１つのタイムスロットの６番目及び１３番目のＯＦＤＭシンボルに位置する方式である。
【０１２８】
Ｅ２、サブキャリア間隔が第四間隔である。
【０１２９】
この場合、前記プリセットルールは、以下の方式のうち、少なくとも１つである。
【０１３０】
Ｅ２１、前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置する方式である
【０１３１】
具体的に、この場合、１つのサイドリンク同期信号ブロックの候補時間領域位置のＰＳＳＳのＯＦＤＭシンボルの番号がＳＳＳＳのＯＦＤＭシンボルの番号よりも小さいと、図１４の分布状況を参照できる。
【０１３２】
Ｅ２２、前記ＰＳＳＳ及び前記ＳＳＳＳの一方が１つのタイムスロットの３番目及び９番目のＯＦＤＭシンボルに位置し、前記ＰＳＳＳ及び前記ＳＳＳＳの他方が１つのタイムスロットの６番目及び１２番目のＯＦＤＭシンボルに位置する方式である。
【０１３３】
Ｅ２３、前記ＰＳＳＳ及び前記ＳＳＳＳの一方が１つのタイムスロットの４番目及び１０番目のＯＦＤＭシンボルに位置し、前記ＰＳＳＳ及び前記ＳＳＳＳの他方が１つのタイムスロットの６番目及び１２番目のＯＦＤＭシンボルに位置する方式である。
【０１３４】
Ｅ２４、前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの５番目及び１２番目のＯＦＤＭシンボルに位置する方式である。
【０１３５】
説明すべきなのは、上記の第三間隔に含まれる周波数と、第四間隔に含まれる周波数とは、少なくとも一部が異なり、例えば、１５ｋＨｚ、３０ｋＨｚ、６０ｋＨｚ、１２０ｋＨｚ及び２４０ｋＨｚを、その中の一部が第三間隔に属して他の一部が第四間隔に属するように分割し、一例としては、第三間隔が１５ｋＨｚ及び３０ｋＨｚを含み、第四間隔が６０ｋＨｚ、１２０ｋＨｚ及び２４０ｋＨｚを含むが、説明すべきなのは、上記は第三間隔及び第四間隔の分割ケースの１つに過ぎず、実際の応用においては、これに限定されない。
【０１３６】
更に説明すべきなのは、当該ＰＳＳＳは、ＮＲ  ＰＳＳとは異なる多項式に対応するＭシーケンスを用いている。
【０１３７】
更に、前記Ｍシーケンスは、以下のように構成されたシーケンスを含み（即ちＰＳＳＳのシーケンスは  である）、
ここで、  は前記Ｍシーケンスであり、  は前記Ｍシーケンスのインデックスであり、  はシーケンス  のインデックスで、  はサイドリンク同期識別子のグループ識別子で、  はサイクリックシフトであり、且つ  の選択的な値の１つとして、  ＝４３であり、  は、の式を用いて取得され、シーケンス  は、  となるように初期化される。
【０１３８】
説明すべきなのは、図５〜図１７におけるＧＰが明記されているシンボル位置は、空いているままで、データ伝送に用いられなくてもよいし、他の用途に用いられてもよいが、図示したのは、これらのシンボル位置がＧＰとして用いられるケースの１つに過ぎない。
【０１３９】
説明すべきなのは、本開示の実施例によれば、ネットワーク通信フローを完備させ、ネットワーク通信の信頼性を保証することができるとともに、サイドリンク稼動周波数帯域と他のサービス稼動周波数帯域とが重なると、異なるサービスの同期信号を端末が区別できないという問題を回避し、良好な復調性能を保証しているため、端末は、異なる周波数帯域でサイドリンクの同期信号及び／又はブロードキャストチャネルを素早く見つけることができ、電力消費が低減される。
【０１４０】
図１８に示すように、本開示の実施例は、端末であって、
サイドリンク同期信号ブロックを伝送するための伝送モジュール１８０１を含み、
前記サイドリンク同期信号ブロックは、プライマリサイドリンク同期信号ＰＳＳＳ、及び、セカンダリサイドリンク同期信号ＳＳＳＳを含み、ＰＳＳＳ及びＳＳＳＳは、前記サイドリンク同期信号ブロックが占用する直交周波数分割多重ＯＦＤＭシンボルに分布している、端末１８００を更に提供している。
【０１４１】
具体的に、前記ＰＳＳＳ及び前記ＳＳＳＳは、プリセットルールに従って、前記サイドリンク同期信号ブロックが占用するＯＦＤＭシンボルに分布している。
【０１４２】
選択的に、１つのタイムスロット内に少なくとも２つのサイドリンク同期信号ブロックの候補時間領域位置が含まれる場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置する方式と、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置する方式とのうち、少なくとも１つを含む。
【０１４３】
更に、１つのタイムスロット内に２つのサイドリンク同期信号ブロックの候補時間領域位置が含まれる場合、前記２つのサイドリンク同期信号ブロックのうち、各々のサイドリンク同期信号ブロックの候補時間領域位置の第一シンボルに対応するＯＦＤＭシンボルインデックスは、１４ｎ又は７＋１４ｎであり、
ここで、０≦ｎ＜ｍであり、ｍはサイドリンク同期信号ブロックが占用するタイムスロットの最大数量であり、ｎは０の場合、サイドリンク同期信号ブロックの候補時間領域位置を含む最初のタイムスロットの１番目のＯＦＤＭシンボルに対応する。
【０１４４】
更に、１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置することである。
【０１４５】
更に、当前記サイドリンク同期信号ブロックの候補時間領域位置がサブキャリア間隔と相関を持たず、且つ、１つのサイドリンク同期信号ブロックが占用するＯＦＤＭシンボルの数量が６以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式とのうち、少なくとも１つである。
【０１４６】
更に、サブキャリア間隔が第一間隔であり、且つ、１つのタイムスロット内に２つのサイドリンク同期信号ブロックの候補時間領域位置が含まれる場合、前記２つのサイドリンク同期信号ブロックのうち、各々のサイドリンク同期信号ブロックの候補時間領域位置の第一シンボルに対応するＯＦＤＭシンボルインデックスは、１４ｎ又は７＋１４ｎであり、
ここで、０≦ｎ＜ｍであり、ｍはサイドリンク同期信号ブロックが占用するタイムスロットの最大数量であり、ｎは０の場合、サイドリンク同期信号ブロックの候補時間領域位置を含む最初のタイムスロットの１番目のＯＦＤＭシンボルに対応する。
【０１４７】
更に、サブキャリア間隔が第一間隔のとき、１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置することである。
【０１４８】
更に、サブキャリア間隔が第一間隔のとき、１つのサイドリンク同期信号ブロックが占用するＯＦＤＭシンボルの数量が６以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式とのうち、少なくとも１つである。
【０１４９】
更に、当前記サイドリンク同期信号ブロックの候補時間領域位置がサブキャリア間隔と相関を持ち、サブキャリア間隔が第二間隔であり、且つ、１つのタイムスロット内に２つのサイドリンク同期信号ブロックの候補時間領域位置が含まれる場合、前記２つのサイドリンク同期信号ブロックのうち、各々のサイドリンク同期信号ブロックの候補時間領域位置の第一シンボルに対応するＯＦＤＭシンボルインデックスは、ｘ＋１４ｎ又はｙ＋１４ｎであり、
ここで、０≦ｎ＜ｍであり、ｍはサイドリンク同期信号ブロックが占用するタイムスロットの最大数量であり、ｎは０の場合、サイドリンク同期信号ブロックの候補時間領域位置を含む最初のタイムスロットの１番目のＯＦＤＭシンボルに対応し、且つｘの値が０、ｙの値が６又は７となる。
【０１５０】
更に、サブキャリア間隔が第二間隔のとき、１つのサイドリンク同期信号ブロックが占用するＯＦＤＭシンボルの数量が６以上の場合、前記プリセットルールは、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式とのうち、少なくとも１つである。
【０１５１】
更に、サブキャリア間隔に１２０ｋＨｚが含まれるとき、１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置することを含む。
【０１５２】
選択的に、前記プリセットルールは、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置することを含む。
【０１５３】
選択的に、１つのタイムスロット内に１つのサイドリンク同期信号ブロックの候補時間領域位置が含まれる場合、前記プリセットルールは、
前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置する方式と、
前記ＰＳＳＳ及び前記ＳＳＳＳの一方が１つのタイムスロットの２番目及び３番目のＯＦＤＭシンボルに位置し、前記ＰＳＳＳ及び前記ＳＳＳＳの他方が１つのタイムスロットの１２番目及び１３番目のＯＦＤＭシンボルに位置する方式と、
前記ＰＳＳＳ及び前記ＳＳＳＳの一方が１つのタイムスロットの５番目及び７番目のＯＦＤＭシンボルに位置し、前記ＰＳＳＳ及び前記ＳＳＳＳの他方が１つのタイムスロットの１０番目及び１２番目のＯＦＤＭシンボルに位置する方式と、
前記ＰＳＳＳ及び前記ＳＳＳＳの一方が１つのタイムスロットの３番目及び６番目のＯＦＤＭシンボルに位置し、前記ＰＳＳＳ及び前記ＳＳＳＳの他方が１つのタイムスロットの９番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの５番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの４番目及び１１番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの３番目及び９番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの４番目及び１０番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの５番目及び１２番目のＯＦＤＭシンボルに位置する方式とのうち、少なくとも１つを含む。
【０１５４】
更に、前記プリセットルールは、前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置することである場合か、或いは、
前記ＰＳＳＳ及び前記ＳＳＳＳの一方が１つのタイムスロットの２番目及び３番目のＯＦＤＭシンボルに位置し、前記ＰＳＳＳ及び前記ＳＳＳＳの他方が１つのタイムスロットの１２番目及び１３番目のＯＦＤＭシンボルに位置することである場合、１つのタイムスロットの６番目及び９番目のＯＦＤＭシンボルは、復調基準信号の伝送に用いられる。
【０１５５】
更に、サブキャリア間隔が第三間隔の場合、前記プリセットルールは、
前記ＰＳＳＳ及び前記ＳＳＳＳの一方が１つのタイムスロットの３番目及び６番目のＯＦＤＭシンボルに位置し、前記ＰＳＳＳ及び前記ＳＳＳＳの他方が１つのタイムスロットの９番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの５番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの４番目及び１１番目のＯＦＤＭシンボルに位置し、前記ＰＳＳＳ及び前記ＳＳＳＳの他方が１つのタイムスロットの６番目及び１３番目のＯＦＤＭシンボルに位置する方式とのうち、少なくとも１つである。
【０１５６】
更に、サブキャリア間隔が第四間隔の場合、前記プリセットルールは、
前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置する方式と、
前記ＰＳＳＳ及び前記ＳＳＳＳの一方が１つのタイムスロットの３番目及び９番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの４番目及び１０番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの５番目及び１２番目のＯＦＤＭシンボルに位置する方式とのうち、少なくとも１つである。
【０１５７】
更に、前記ＰＳＳＳは、Ｍシーケンスを用いており、前記Ｍシーケンスには、
の式に従って構成されたシーケンスが含まれ、
ここで、  は前記Ｍシーケンスであり、  は前記Ｍシーケンスのインデックスで、且つ  であり、  はシーケンス  のインデックスで、且つ  であり、  はサイドリンク同期識別子のグループ識別子で、  はサイクリックシフトであり、  は、  の式を用いて取得される。
【０１５８】
選択的に、少なくとも２つのサイドリンク同期信号ブロックの候補時間領域位置が時間領域で連続しており、且つ前記少なくとも２つのサイドリンク同期信号ブロックの候補時間領域位置で、全てサイドリンク同期信号ブロックを伝送した場合、前記少なくとも２つのサイドリンク同期信号ブロックの候補時間領域位置におけるサイドリンク同期信号ブロックの伝送方向が同じである。
【０１５９】
選択的に、前記サイドリンク同期信号ブロックは、１つの時間ウィンドウ内で伝送される。
【０１６０】
選択的に、前記サイドリンク同期信号ブロックは、プリセットされた時間ウィンドウ内で伝送される。
【０１６１】
説明すべきなのは、当該端末実施例は、上記の端末側に適用される同期信号伝送方法に対応する端末であり、上記実施例の全ての実現方式は、当該端末実施例に適用可能であり、それと同じ技術的効果を奏することもできる。
【０１６２】
図１９は、本開示の実施例に係る端末を実現するハードウェア構造の模式図である。
【０１６３】
当該端末１９０は、無線周波数ユニット１９１０、ネットワークモジュール１９２０、オーディオ出力ユニット１９３０、入力ユニット１９４０、センサ１９５０、表示ユニット１９６０、ユーザ入力ユニット１９７０、インターフェースユニット１９８０、メモリ１９９０、プロセッサ１９１１、及び電源１９１２等の部品を含むが、これらに限定されない。当業者であれば理解できるように、図１９に示す端末構造は、端末に対する限定を構成するものではなく、端末は、図示されるものよりも多いか或いは少ない部品を含んでもよいし、いくつかの部品の組み合せ、又は異なる配置の部品を含んでもよい。本開示の実施例において、端末には、携帯電話、タブレットＰＣ、ノートＰＣ、パームトップ型ＰＣ、車載端末、ウェアラブル機器、及び歩数計等が含まれるが、これらに限定されない。
【０１６４】
そのうち、無線周波数ユニット１９１０は、サイドリンク同期信号ブロックを伝送するためのものであり、
前記サイドリンク同期信号ブロックは、プライマリサイドリンク同期信号ＰＳＳＳ、及び、セカンダリサイドリンク同期信号ＳＳＳＳを含み、ＰＳＳＳ及びＳＳＳＳは、前記サイドリンク同期信号ブロックが占用する直交周波数分割多重ＯＦＤＭシンボルに分布している。
【０１６５】
本開示の実施例に係る端末は、ＰＳＳＳ及びＳＳＳＳを、サイドリンク同期信号ブロックが占用するＯＦＤＭシンボルに分布させることによって、ネットワーク通信フローを完備させ、ネットワーク通信の信頼性を保証することができる。
【０１６６】
理解されたいのは、本開示の実施例において、無線周波数ユニット１９１０は、情報の送受信、又は通話中の信号の受信及び送信に用いられることが可能であり、具体的に、ネットワーク機器からの下りリンクデータを受信した後に、プロセッサ１９１１に処理させること、また、上りリンクデータをネットワーク機器に送信することである。通常、無線周波数ユニット１９１０は、アンテナ、少なくとも１つの増幅器、送受信機、カプラ、低雑音増幅器、デュプレクサ等を含むが、これらに限定されない。加えて、無線周波数ユニット１９１０は、無線通信システムを介してネットワーク及び他の機器通信と通信することが可能である。
【０１６７】
端末は、ネットワークモジュール１９２０によって、ワイヤレスブロードバンドインターネットアクセスをユーザに提供しており、例えばユーザによる電子メールの送受信、ウェブページの閲覧及びストリーミングメディアへのアクセス等を支援する。
【０１６８】
オーディオ出力ユニット１９３０は、無線周波数ユニット１９１０又はネットワークモジュール１９２０によって受信されたか、或いはメモリ１９９０に記憶されたオーディオデータをオーディオ信号に変換して音声として出力することが可能である。更に、オーディオ出力ユニット１９３０は、端末１９０によって実行される特定の機能に関するオーディオ出力（例えば、呼信号受信音、メッセージ受信音等）を提供することも可能である。オーディオ出力ユニット１９３０は、スピーカ、ブザー及び受話器等を含む。
【０１６９】
入力ユニット１９４０は、オーディオ又はビデオ信号を受信するためのものである。入力ユニット１９４０は、ＧＰＵ（Ｇｒａｐｈｉｃｓ  Ｐｒｏｃｅｓｓｉｎｇ  Ｕｎｉｔ）１９４１、及びマイク１９４２を含んでもよく、ＧＰＵ１９４１は、ビデオキャプチャモード又は画像キャプチャモードにおいて画像キャプチャ装置（例えば、カメラ）によって取得された静止画又はビデオの画像データを処理するものである。処理された画像フレームは、表示ユニット１９６０に表示されることが可能である。ＧＰＵ１９４１によって処理された画像フレームは、メモリ１９９０（又は他の記憶媒体）に記憶されるか、或いは無線周波数ユニット１９１０又はネットワークモジュール１９２０を介して送信されることが可能である。マイク１９４２は、音声を受信可能であるとともに、このような音声をオーディオデータとなるように処理することができる。処理されたオーディオデータは、電話通話モードの場合、無線周波数ユニット１９１０を介して移動通信ネットワーク機器に送信可能なフォーマットに変換して出力されることが可能である。
【０１７０】
端末１９０は、例えば光センサ、動きセンサ及び他のセンサなど、少なくとも１つのセンサ１９５０を更に含む。具体的に、光センサは、周囲光センサ及び近接センサを含み、そのうち、周囲光センサは、周囲光の明暗に応じて表示パネル１９６１の輝度を調節することができ、近接センサは、端末１９０が耳付近に移動された場合、表示パネル１９６１及び／又はバックライトをオフにすることができる。動きセンサの一種として、加速度計センサは、様々な方向（通常は３軸）における加速度の大きさを検出することができ、静止時には、重力の大きさ及び方向を検出でき、端末の姿勢の識別（例えば、横／縦スクリーン切替、関連ゲーム、磁力計の姿勢校正）、振動識別関連機能（例えば、歩数計やタッピング）等に用いられることが可能であり、センサ１９５０は、指紋センサ、圧力センサ、虹彩センサ、分子センサ、ジャイロスコープ、気圧計、湿度計、温度計、赤外線センサ等を更に含んでもよいが、ここで繰り返して説明しない。
【０１７１】
表示ユニット１９６０は、ユーザにより入力された情報、又はユーザに提供される情報を表示するためのものである。表示ユニット１９６０は、表示パネル１９６１を含んでもよく、表示パネル１９６１は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）等の形態で構成されてもよい。
【０１７２】
ユーザ入力ユニット１９７０は、入力された数字や文字の情報を受信し、並びに、端末のユーザ設定及び機能制御に関するキー信号入力を生成するためのものである。具体的に、ユーザ入力ユニット１９７０は、タッチパネル１９７１及び他の入力機器１９７２を含む。タッチパネル１９７１は、タッチスクリーンとも呼ばれており、ユーザがその上又は付近ので行ったタッチ操作（例えば、ユーザが指やタッチペン等の任意の適切な物体や付属品を用いて、タッチパネル１９７１上又はタッチパネル１９７１付近で行った操作）を収集することができる。タッチパネル１９７１は、タッチ検出装置とタッチコントローラとの２部分を含んでもよい。そのうち、タッチ検出装置は、ユーザのタッチ位置を検出し、タッチ操作に起因した信号を検出して、その信号をタッチコントローラに送るものであり、タッチコントローラは、タッチ検出装置からタッチ情報を受信し、それをタッチポイント座標に変換してから、プロセッサ１９１１に送り、プロセッサ１９１１から送信されたコマンドを受信して実行するものである。なお、タッチパネル１９７１は、抵抗型、コンデンサ型、赤外線型及び表面弾性波型等の複数のタイプで実現可能である。ユーザ入力ユニット１９７０は、タッチパネル１９７１に加え、他の入力デバイス１９７２を更に含んでもよい。具体的に、他の入力デバイス１９７２には、物理キーボード、機能キー（例えば、音量制御キーやオン／オフキー等）、トラックボール、マウス、ジョイスティックが含まれてもよいが、ここで繰り返して説明しない。
【０１７３】
更に、タッチパネル１９７１は、表示パネル１９６１を覆っていてもよく、タッチパネル１９７１は、その上又は付近のタッチ操作を検出すると、タッチイベントのタイプを特定するためにプロセッサ１９１１に送り、その後、プロセッサ１９１１は、タッチイベントのタイプに応じて、対応する視覚出力を表示パネル１９６１で提供する。図１９において、タッチパネル１９７１と表示パネル１９６１とは、２つの独立した部品として端末の入力及び出力機能を実現しているが、いくつかの実施例において、タッチパネル１９７１と表示パネル１９６１とを統合して端末の入力及び出力機能を実現してもよく、ここでは、具体的に限定しない。
【０１７４】
インターフェースユニット１９８０は、外部装置と端末１９０とを接続するためのインターフェースである。例えば、外部装置には、有線又は無線ヘッドホンポート、外部電源（又はバッテリ充電器）ポート、有線又は無線データポート、メモリカードポート、識別モジュールを持つ装置と接続するためのポート、オーディオ入力／出力（Ｉ／Ｏ）ポート、ビデオＩ／Ｏポート、イヤホンポート等が含まれてもよい。インターフェースユニット１９８０は、外部装置からの入力（例えば、データ情報、電力等）を受信するとともに、受信した入力を端末１９０内の１つ又は複数の要素に送るために用いられてもよいし、或いは、端末１９０と外部装置との間のデータ伝送に用いられてもよい。
【０１７５】
メモリ１９９０は、ソフトウェアプログラム及び様々なデータの記憶に用いられることが可能である。メモリ１９９０は、主にプログラム記憶領域及びデータ記憶領域を含んでもよく、そのうち、プログラム記憶領域は、オペレーティングシステムや、少なくとも１つの機能（例えば、音声再生機能や画像再生機能等）に必要なアプリケーションプログラム等を記憶することができ、データ記憶領域は、携帯電話の使用に応じて作成されたデータ（例えばオーディオデータや電話帳等）を記憶することができる。なお、メモリ１９９０は、高速ランダムアクセスメモリを含んでもよいし、更に、例えば少なくとも１つの磁気ディスク記憶デバイス、フラッシュメモリデバイスなどの不揮発性メモリ、又は他の揮発性ソリッドステート記憶デバイスを含んでもよい。
【０１７６】
プロセッサ１９１１は、端末の制御中心であり、様々なインターフェース及び回線を用いて端末全体の各部分を接続しており、メモリ１９９０に記憶されたソフトウェアプログラム及び／又はモジュールを起動又は実行し、並びに、メモリ１９９０に記憶されたデータを呼び出して端末の各種機能を実行してデータを処理することにより、端末全体の監視制御を行う。プロセッサ１９１１は、１つ又は複数の処理ユニットを含んでもよく、選択的に、プロセッサ１９１１には、アプリケーションプロセッサ及びモデムプロセッサが統合されてもよく、そのうち、アプリケーションプロセッサは、主にオペレーティングシステム、ユーザインタフェース及びアプリケーションプログラム等を取り扱い、モデムプロセッサは、主に無線通信を取り扱う。理解できるように、上記モデムプロセッサは、プロセッサ１９１１に統合されなくてもよい。
【０１７７】
端末１９０は、各部品に電力を供給する電源１９１２（例えばバッテリ）を更に含んでもよく、選択的に、電源１９１２は、電源管理システムによる充放電管理や電力消費管理等の機能が実現されるように、電源管理システムを介してプロセッサ１９１１と論理的に接続されてもよい。
【０１７８】
また、端末１９０は、いくつかの図示していない機能モジュールを含むが、ここで繰り返して説明しない。
【０１７９】
選択的に、本開示の実施例は、端末を更に提供しており、当該端末は、プロセッサ１９１１と、メモリ１９９０と、メモリ１９９０に記憶されて前記プロセッサ１９１１上で実行可能なコンピュータプログラムとを含み、当該コンピュータプログラムがプロセッサ１９１１によって実行されると、端末側に適用される同期信号伝送方法の実施例の各手順が実現され、同じ技術的効果も達成できるが、重複を回避するために、ここで繰り返して説明しない。
【０１８０】
本開示の実施例は、コンピュータプログラムを記憶したコンピュータ読取可能な記憶媒体を更に提供しており、当該コンピュータプログラムがプロセッサによって実行されると、端末側に適用される同期信号伝送方法の実施例の各手順が実現され、同じ技術的効果も達成できるが、重複を回避するために、ここで繰り返して説明しない。そのうち、前記コンピュータ読取可能な記憶媒体は、例えばＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスク等である。
【０１８１】
なお、本開示の実施例で言及されるネットワーク機器は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）又はＣＤＭＡ（Ｃｏｄｅ  Ｄｉｖｉｓｉｏｎ  Ｍｕｌｔｉｐｌｅ  Ａｃｃｅｓｓ）における基地局（Ｂａｓｅ  Ｔｒａｎｓｃｅｉｖｅｒ  Ｓｔａｔｉｏｎ、ＢＴＳ）であってもよいし、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）における基地局（ＮｏｄｅＢ、ＮＢ）であってもよく、更に、ＬＴＥにおける進化型基地局（Ｅｖｏｌｕｔｉｏｎａｌ  Ｎｏｄｅ  Ｂ、ｅＮＢ又はｅＮｏｄｅＢ）、又は中継局やアクセスポイント、又は将来の８Ｇネットワークにおける基地局等であってもよいが、ここで限定しない。
【０１８２】
説明すべきなのは、本明細書において、用語「含む」、「包含」又は他の任意の変体は、非排他的な「包含」を含み、一連の要素を含む手順、方法、物又は装置は、これらの要素を含むことだけではなく、明示的に列挙されていない他の要素、又はこの手順、方法、物若しくは装置の固有の要素を含む。さらなる制限がない限り、用語「１つの…を含む」より限定された要素は、該要素を含む手順、方法、物又は装置に他の同一の要素が存在することを排除しない。
【０１８３】
上記の実施形態に対する説明から、当業者は、ソフトウェアに、必要な汎用ハードウェアプラットフォームを加えるという方式で、本発明の上記実施例方法が実現可能であると明確に分かることができ、勿論、ハードウェアによっても実現可能であるが、多くの場合は、前者は、より好適な実施形態となる。このような理解に基づいて、本発明の技術案の本質的部分、あるいは関連技術に対する貢献をもたらす部分は、ソフトウェア製品の形で具現化することができ、当該コンピュータソフトウェア製品は、記憶媒体（例えば、ＲＯＭ／ＲＡＭ、磁気ディスク、光ディスク）に記憶され、一つの端末（携帯電話、コンピュータ、サーバ、エアコンやネットワーク機器等であり得る）が本開示の各実施例に記載の方法を実行可能にするためのいくつかのコマンドを含む。
【０１８４】
上述したのは、本開示の選択的な実施形態であり、注意すべきことは、当業者にとって、本開示の原理を逸脱しない前提で、若干の改良及び潤色を更に行うことが可能であり、これらの改良及び潤色も本開示の保護範囲内であると見なされるべきである。
【図１】
2021532701.tif 000003
【図２】
2021532701.tif 000004
【図３】
2021532701.tif 000005
【図４】
2021532701.tif 000006
【図５】
2021532701.tif 000007
【図６】
2021532701.tif 000008
【図７】
2021532701.tif 000009
【図８】
2021532701.tif 000010
【図９】
2021532701.tif 000011
【図１０】
2021532701.tif 000012
【図１１】
2021532701.tif 000013
【図１２】
2021532701.tif 000014
【図１３】
2021532701.tif 000015
【図１４】
2021532701.tif 000016
【図１５】
2021532701.tif 000017
【図１６】
2021532701.tif 000018
【図１７】
2021532701.tif 000019
【図１８】
2021532701.tif 000020
【図１９】
2021532701.tif 000021
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
端末に適用される同期信号伝送方法であって、
サイドリンク同期信号ブロックを伝送することを含み、
ここで、前記サイドリンク同期信号ブロックは、プライマリサイドリンク同期信号ＰＳＳＳ、及び、セカンダリサイドリンク同期信号ＳＳＳＳを含み、ＰＳＳＳ及びＳＳＳＳは、前記サイドリンク同期信号ブロックが占用する直交周波数分割多重ＯＦＤＭシンボルに分布している、同期信号伝送方法。
【請求項２】
前記ＰＳＳＳ及び前記ＳＳＳＳは、プリセットルールに従って、前記サイドリンク同期信号ブロックが占用するＯＦＤＭシンボルに分布している、請求項１に記載の同期信号伝送方法。
【請求項３】
１つのタイムスロット内に少なくとも２つのサイドリンク同期信号ブロックの候補時間領域位置が含まれる場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置する方式と、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置する方式とのうち、少なくとも１つを含む、請求項２に記載の同期信号伝送方法。
【請求項４】
１つのタイムスロット内に２つのサイドリンク同期信号ブロックの候補時間領域位置が含まれる場合、前記２つのサイドリンク同期信号ブロックのうち、各々のサイドリンク同期信号ブロックの候補時間領域位置の第一シンボルに対応するＯＦＤＭシンボルインデックスは、１４ｎ又は７＋１４ｎであり、
ここで、０≦ｎ＜ｍであり、ｍはサイドリンク同期信号ブロックが占用するタイムスロットの最大数量であり、ｎは０の場合、サイドリンク同期信号ブロックの候補時間領域位置を含む最初のタイムスロットの１番目のＯＦＤＭシンボルに対応する、請求項３に記載の同期信号伝送方法。
【請求項５】
１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置することである、請求項３に記載の同期信号伝送方法。
【請求項６】
１つのサイドリンク同期信号ブロックが占用するＯＦＤＭシンボルの数量が６以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式とのうち、少なくとも１つである、請求項３に記載の同期信号伝送方法。
【請求項７】
サブキャリア間隔が第一間隔であり、且つ、１つのタイムスロット内に２つのサイドリンク同期信号ブロックの候補時間領域位置が含まれる場合、前記２つのサイドリンク同期信号ブロックのうち、各々のサイドリンク同期信号ブロックの候補時間領域位置の第一シンボルに対応するＯＦＤＭシンボルインデックスは、１４ｎ又は７＋１４ｎであり、
ここで、０≦ｎ＜ｍであり、ｍはサイドリンク同期信号ブロックが占用するタイムスロットの最大数量であり、ｎは０の場合、サイドリンク同期信号ブロックの候補時間領域位置を含む最初のタイムスロットの１番目のＯＦＤＭシンボルに対応する、請求項３に記載の同期信号伝送方法。
【請求項８】
サブキャリア間隔が第一間隔のとき、１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置することであり、
又は、
サブキャリア間隔が第一間隔のとき、１つのサイドリンク同期信号ブロックが占用するＯＦＤＭシンボルの数量が６以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式とのうち、少なくとも１つである、請求項３に記載の同期信号伝送方法。
【請求項９】
サブキャリア間隔が第二間隔であり、且つ、１つのタイムスロット内に２つのサイドリンク同期信号ブロックの候補時間領域位置が含まれる場合、前記２つのサイドリンク同期信号ブロックのうち、各々のサイドリンク同期信号ブロックの候補時間領域位置の第一シンボルに対応するＯＦＤＭシンボルインデックスは、ｘ＋１４ｎ又はｙ＋１４ｎであり、
ここで、０≦ｎ＜ｍであり、ｍはサイドリンク同期信号ブロックが占用するタイムスロットの最大数量であり、ｎは０の場合、サイドリンク同期信号ブロックの候補時間領域位置を含む最初のタイムスロットの１番目のＯＦＤＭシンボルに対応し、且つｘの値が０、ｙの値が６又は７となり、
又は、
サブキャリア間隔が第二間隔のとき、１つのサイドリンク同期信号ブロックが占用するＯＦＤＭシンボルの数量が６以上の場合、前記プリセットルールは、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式とのうち、少なくとも１つである、請求項３に記載の同期信号伝送方法。
【請求項１０】
サブキャリア間隔に１２０ｋＨｚが含まれるとき、１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置することを含む、請求項３に記載の同期信号伝送方法。
【請求項１１】
前記プリセットルールは、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置することを含む、請求項２に記載の同期信号伝送方法。
【請求項１２】
１つのタイムスロット内に１つのサイドリンク同期信号ブロックの候補時間領域位置が含まれる場合、前記プリセットルールは、
前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置する方式と、
前記ＰＳＳＳ及び前記ＳＳＳＳの一方が１つのタイムスロットの２番目及び３番目のＯＦＤＭシンボルに位置し、前記ＰＳＳＳ及び前記ＳＳＳＳの他方が１つのタイムスロットの１２番目及び１３番目のＯＦＤＭシンボルに位置する方式と、
前記ＰＳＳＳ及び前記ＳＳＳＳの一方が１つのタイムスロットの５番目及び７番目のＯＦＤＭシンボルに位置し、前記ＰＳＳＳ及び前記ＳＳＳＳの他方が１つのタイムスロットの１０番目及び１２番目のＯＦＤＭシンボルに位置する方式と、
前記ＰＳＳＳ及び前記ＳＳＳＳの一方が１つのタイムスロットの３番目及び６番目のＯＦＤＭシンボルに位置し、前記ＰＳＳＳ及び前記ＳＳＳＳの他方が１つのタイムスロットの９番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの５番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの４番目及び１１番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの３番目及び９番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの４番目及び１０番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの５番目及び１２番目のＯＦＤＭシンボルに位置する方式とのうち、少なくとも１つを含む、請求項２に記載の同期信号伝送方法。
【請求項１３】
前記プリセットルールは、前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置することである場合か、或いは、
前記ＰＳＳＳ及び前記ＳＳＳＳの一方が１つのタイムスロットの２番目及び３番目のＯＦＤＭシンボルに位置し、前記ＰＳＳＳ及び前記ＳＳＳＳの他方が１つのタイムスロットの１２番目及び１３番目のＯＦＤＭシンボルに位置することである場合、１つのタイムスロットの６番目及び９番目のＯＦＤＭシンボルは、復調基準信号の伝送に用いられる、請求項１２に記載の同期信号伝送方法。
【請求項１４】
サブキャリア間隔が第三間隔のとき、前記プリセットルールは、
前記ＰＳＳＳ及び前記ＳＳＳＳの一方が１つのタイムスロットの３番目及び６番目のＯＦＤＭシンボルに位置し、前記ＰＳＳＳ及び前記ＳＳＳＳの他方が１つのタイムスロットの９番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの５番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの４番目及び１１番目のＯＦＤＭシンボルに位置し、前記ＰＳＳＳ及び前記ＳＳＳＳの他方が１つのタイムスロットの６番目及び１３番目のＯＦＤＭシンボルに位置する方式とのうち、少なくとも１つであり、
又は、
サブキャリア間隔が第四間隔のとき、前記プリセットルールは、
前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置する方式と、
前記ＰＳＳＳ及び前記ＳＳＳＳの一方が１つのタイムスロットの３番目及び９番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの４番目及び１０番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの５番目及び１２番目のＯＦＤＭシンボルに位置する方式とのうち、少なくとも１つである、請求項１２に記載の同期信号伝送方法。
【請求項１５】
端末であって、
サイドリンク同期信号ブロックを伝送するための伝送モジュールを含み、
前記サイドリンク同期信号ブロックは、プライマリサイドリンク同期信号ＰＳＳＳ、及び、セカンダリサイドリンク同期信号ＳＳＳＳを含み、ＰＳＳＳ及びＳＳＳＳは、前記サイドリンク同期信号ブロックが占用する直交周波数分割多重ＯＦＤＭシンボルに分布している、端末。
【手続補正２】
【補正対象書類名】明細書
【補正対象項目名】全文
【補正方法】変更
【補正の内容】
【発明の詳細な説明】
【技術分野】
【０００１】
関連出願の相互参照
本願は、２０１８年７月２７日に中国で出願された中国特許出願第２０１８１０８５６３０３．１号の優先権を主張し、その内容の全ては、参照により本願に組み込まれる。
本開示は、通信の技術分野に関し、特に、同期信号伝送方法及び端末に関する。
【背景技術】
【０００２】
ＮＲ（Ｎｅｗ  Ｒａｄｉｏ）システムの設計では、端末によって行われる同期化、システム情報の取得、測定評価等のために、ＮＲ基地局は、ＳＳＢ（Ｓｙｎｃｈｒｏｎｉｚａｔｉｏｎ  Ｓｉｇｎａｌ  Ｂｌｏｃｋであって、ＳＳ／ＰＢＣＨ  ｂｌｏｃｋと呼ばれてもよい）を送信する必要がある。１つのＳＳＢは、ＮＲ同期信号（ＮＲ−ＳＳ）と、ＮＲ物理ブロードキャストチャネル（ＮＲ−ＰＢＣＨ）との２部分で構成され、そのうち、ＮＲ−ＳＳは、ＮＲプライマリ同期信号（ＮＲ−ＰＳＳ）と、ＮＲセカンダリ同期信号（ＮＲ−ＳＳＳ）との２部分に分けられる。１つのＳＳＢに合計４つのシンボルが含まれ、１つのＳＳＢ内では、これらのシンボルの時間領域構成順序がＰＳＳ−ＰＢＣＨ−ＳＳＳ−ＰＢＣＨとなる。
【０００３】
サイドリンク（Ｓｉｄｅｌｉｎｋ）にも、それぞれプライマリサイドリンク同期信号（ＰＳＳＳ）及びセカンダリサイドリンク同期信号（ＳＳＳＳ）と呼ばれる同期シーケンスが含まれる。ＬＴＥ（Ｌｏｎｇ  Ｔｅｒｍ  Ｅｖｏｌｕｔｉｏｎ）サイドリンクにおけるＰＳＳＳシーケンスは、ＺＣシーケンスであり、ＬＴＥプライマリ同期信号（ＰＳＳ）とは異なる論理ルートを使用しているため、ＰＳＳＳシーケンスとＬＴＥのＰＳＳシーケンスとは、本質的に、異なるシーケンスとなる。一方で、ＳＳＳＳは、セカンダリ同期信号（ＳＳＳ）のシーケンス設計を再利用しており、ＰＳＳＳとＰＳＳとが同じＩＤに対応し、ＳＳＳＳとＳＳＳとが同じＩＤに対応している場合、ＳＳＳＳシーケンスとＳＳＳシーケンスとは同様となり、Ｖ２ＸにおけるＰＳＳＳ及びＳＳＳの時間領域構造は、図１に示すようになり、物理共有ブロードキャストチャネル（ＰＳＢＣＨ）、ＰＳＳＳ、ＤＭＲＳ（Ｄｅ−Ｍｏｄｕｌａｔｉｏｎ  Ｒｅｆｅｒｅｎｃｅ  Ｓｉｇｎａｌ）及びＳＳＳＳの分布は、具体的に同図に示すようになる。
【０００４】
関連技術におけるサイドリンク同期信号の設定案は、使用ニーズを満たせなく、ユーザによるサイドリンク同期信号サービスの正常な実行を保証できず、通信の信頼性及び有効性を保証できない。
【発明の概要】
【発明が解決しようとする課題】
【０００５】
本開示の実施例は、関連技術におけるサイドリンク同期信号の設定案が使用ニーズを満たせなく、ユーザによるサイドリンク同期信号サービスの正常な実行を保証できず、通信の信頼性及び有効性を保証できないという課題を解決するための同期信号伝送方法及び端末を提供する。
【課題を解決するための手段】
【０００６】
上記課題を解決するために、本開示には、次の技術案が用いられる。
【０００７】
第一態様において、本開示の実施例は、端末に適用される同期信号伝送方法であって、
サイドリンク同期信号ブロックを伝送するステップを含み、
前記サイドリンク同期信号ブロックは、プライマリサイドリンク同期信号ＰＳＳＳ、及び、セカンダリサイドリンク同期信号ＳＳＳＳを含み、ＰＳＳＳ及びＳＳＳＳは、前記サイドリンク同期信号ブロックが占用する直交周波数分割多重ＯＦＤＭシンボルに分布している、同期信号伝送方法を提供する。
【０００８】
第二態様において、本開示の実施例は、端末であって、
サイドリンク同期信号ブロックを伝送するための伝送モジュールを含み、
前記サイドリンク同期信号ブロックは、プライマリサイドリンク同期信号ＰＳＳＳ、及び、セカンダリサイドリンク同期信号ＳＳＳＳを含み、ＰＳＳＳ及びＳＳＳＳは、前記サイドリンク同期信号ブロックが占用する直交周波数分割多重ＯＦＤＭシンボルに分布している、端末を提供する。
【０００９】
第三態様において、本開示の実施例は、メモリと、プロセッサと、メモリに記憶されてプロセッサ上で実行可能なコンピュータプログラムとを含み、前記コンピュータプログラムが前記プロセッサによって実行されると、上記の同期信号伝送方法のステップが実現される、端末を提供する。
【００１０】
第四態様において、本開示の実施例は、コンピュータプログラムを記憶した記憶媒体であって、前記コンピュータプログラムがプロセッサによって実行されると、上記の同期信号伝送方法のステップが実現される、コンピュータ読取可能な記憶媒体を提供する。
【発明の効果】
【００１１】
本開示の実施例の有益な効果としては、ＰＳＳＳ及びＳＳＳＳを、サイドリンク同期信号ブロックが占用するＯＦＤＭシンボルに分布させることによって、ネットワーク通信フローを完備させ、ネットワーク通信の信頼性を保証することができる。
【００１２】
本願の実施例又は関連技術の技術案をより明瞭に説明するために、以下、実施例又は関連技術の説明に必要な図面を簡単に説明するが、明らかなことに、以下で説明される図面は、あくまでも本願に記載のいくつかの実施例であり、当業者にとっては、創造的な労働を払わずに、これらの図面に基づいて他の図面を得ることができる。
【図面の簡単な説明】
【００１３】
【図１】サイドリンクにおけるＰＳＳＳ及びＳＳＳＳの時間領域構造の模式図を示す。
【図２】ＳＳＢ  ＳＣＳが１５Ｈｚの場合のＳＳＢの時間領域構造の模式図を示す。
【図３】ＳＳＢ  ＳＣＳが１２０ｋＨｚの場合のＳＳＢの時間領域構造の模式図を示す。
【図４】本開示の実施例に係る同期信号伝送方法のフロー模式図を示す。
【図５】１つのタイムスロット内でのＰＳＳＳ及びＳＳＳＳの分布の模式図その１を示す。
【図６】１つのタイムスロット内でのＰＳＳＳ及びＳＳＳＳの分布の模式図その２を示す。
【図７】１つのタイムスロット内でのＰＳＳＳ及びＳＳＳＳの分布の模式図その３を示す。
【図８】１つのタイムスロット内でのＰＳＳＳ及びＳＳＳＳの分布の模式図その４を示す。
【図９】１つのタイムスロット内でのＰＳＳＳ及びＳＳＳＳの分布の模式図その５を示す。
【図１０】１つのタイムスロット内でのＰＳＳＳ及びＳＳＳＳの分布の模式図その６を示す。
【図１１】１つのタイムスロット内でのＰＳＳＳ及びＳＳＳＳの分布の模式図その７を示す。
【図１２】１つのタイムスロット内でのＰＳＳＳ及びＳＳＳＳの分布の模式図その８を示す。
【図１３】１つのタイムスロット内でのＰＳＳＳ及びＳＳＳＳの分布の模式図その９を示す。
【図１４】１つのタイムスロット内でのＰＳＳＳ及びＳＳＳＳの分布の模式図その１０を示す。
【図１５】１つのタイムスロット内でのＰＳＳＳ及びＳＳＳＳの分布の模式図その１１を示す。
【図１６】１つのタイムスロット内でのＰＳＳＳ及びＳＳＳＳの分布の模式図その１２を示す。
【図１７】１つのタイムスロット内でのＰＳＳＳ及びＳＳＳＳの分布の模式図その１３を示す。
【図１８】本開示の実施例に係る端末のモジュール模式図を示す。
【図１９】本開示の実施例に係る端末の構造ブロック図を示す。
【発明を実施するための形態】
【００１４】
以下、本開示の実施例内の図面を参照しながら、本開示の実施例の技術案を明確且つ完全に説明するが、明らかなことに、説明される実施例は本開示の一部の実施例であり、すべての実施例ではない。本開示内の実施例に基づいて、当業者によって創造的な労働を払わずに得られた他の実施例は、全て本開示の保護範囲に含まれるものとする。
【００１５】
本願の明細書及び特許請求の範囲における「第一」、「第二」などの用語は、類似しているオブジェクトを区別するために使用されるものであり、必ずしも特定の順序や前後順番を記述するために使用されるとは限らない。そのように使用されるデータは、適切な状況において互いに交換可能で、それによって、本明細書において記述される本願の実施例は、本明細書において図示又は記述される順序以外の順序で実施可能であることを理解されたい。また、用語「含む」及び「有する」、並びにそれらのあらゆる変体は、非排他的な包含をカバーするものであり、例えば、一連のステップやユニットを含む手順、方法、システム、製品や機器は、明示的に列挙されているこれらのステップやユニットのみを含むことに限定されず、明示的に列挙されていない他のステップやユニット、或いは、これらの手順、方法、製品や機器に固有の他のステップやユニットを含んでもよい。なお、明細書及び特許請求の範囲に使用される「及び／又は」とは、接続対象のうち、少なくとも１つを表すものであり、例えば、「Ａ及び／又はＢ」とは、Ａのみと、Ｂのみと、Ａ及びＢの両方との３つの場合を含む。
【００１６】
本開示の実施例において、「例示的」または「例えば」などの用語は、例、例証または説明するためのものである。本開示の実施例において、「例示的」または「例えば」などの用語で記載されるあらゆる実施例または設計案は、他の実施例や設計案に比較してより好適であったり、より利点を有したりすると解釈されてはならない。適切に言えば、具体的な形態で関連概念を示すために、「例示的」または「例えば」などの用語が使用されている。
【００１７】
以下、図面を参照しながら、本開示の実施例を説明する。本開示の実施例による同期信号伝送方法及び端末は、無線通信システムに適用可能である。当該無線通信システムは、５Ｇ（５ｔｈ  Ｇｅｎｅｒａｔｉｏｎ）移動通信技術を用いたシステム（以下、全て５Ｇシステムと略す）であってもよいが、当業者であれば分かるように、５Ｇ  ＮＲシステムは、一例に過ぎず、これに限定されない。
【００１８】
本開示の実施例の説明にあたって、まずは、以下の説明で使用されるいくつかの概念について、解釈及び説明しておく。
【００１９】
下記の通り、ＳＳＢの時間領域構造は、そのＳＣＳ（ＳｕｂＣａｒｒｉｅｒ  Ｓｐａｃｉｎｇ）と相関を持つ。
【００２０】
例えば、ＳＳＢ  ＳＣＳが１５ｋＨｚの場合、ＳＳＢの時間領域構造は、図２に示すようになる一方で、ＳＳＢ  ＳＣＳが１２０ｋＨｚの場合、ＳＳＢの時間領域構造は、図３に示すようになる。
【００２１】
ＮＲは、０〜１００ＧＨｚに対して同期ラスター（Ｓｙｎｃｈｒｏｎｉｚａｔｉｏｎ  ｒａｓｔｅｒ）を定義しており、同期ラスターの番号がＧＳＣＮ（Ｇｌｏｂａｌ  ＳｙｎＣｈｒｏｎｉｚａｔｉｏｎ  ｒａｓｔｅｒ  Ｎｕｍｂｅｒ）と呼ばれる。基地局は、同期ラスター上でＳＳＢを送信することが可能であり、ユーザは、同期ラスター上でＳＳＢをサーチすることが可能である。同期ラスターの位置は、ＬＴＥのようにその位置するキャリアの中心に固定されるわけではないため、基地局は、より柔軟にキャリアを設定してＳＳＢを送信することができる。
【００２２】
一方、ＮＲは、広帯域幅を取り入れており、高周波帯域では、帯域幅は４００ＭＨｚ、ひいては１ＧＨｚまで達することが可能である。
【００２３】
サイドリンクの稼動周波数帯域は、ＮＲ及び／又は他のサービスの稼動周波数帯域と重なる可能性がある。もしサイドリンクにおける同期信号のラスターと、それに重なっているサービスの同期信号のラスターとが周波数領域で近すぎたり、ひいては重なってしまうと、ユーザは、サイドリンクサービスの同期信号と他のサービスの同期信号とをはっきりと区別できなくなることで、他のサービスの同期信号を誤って復調し、レイテンシ及び電力消費の増大を招いてしまう恐れがある。
【００２４】
説明すべきなのは、サイドリンクサービスとは、サイドリンク上で行われるサービス、即ち、Ｄ２Ｄ（Ｄｅｖｉｃｅ−ｔｏ−Ｄｅｖｉｃｅ）、やＶ２Ｘ（Ｖｅｈｉｃｌｅ−ｔｏ−Ｅｖｅｒｙｔｈｉｎｇ）等のサイドリンク上で行われる通信サービスである。そのうち、Ｖ２Ｘには、主にＶ２Ｖ（Ｖｅｈｉｃｌｅ−ｔｏ−Ｖｅｈｉｃｌｅ）通信、Ｖ２Ｉ（Ｖｅｈｉｃｌｅ−ｔｏ−Ｉｎｆｒａｓｔｒｕｃｔｕｒｅ）通信、Ｖ２Ｎ（Ｖｅｈｉｃｌｅ−ｔｏ−Ｎｅｔｗｏｒｋ）通信、及びＶ２Ｐ（Ｖｅｈｉｃｌｅ−ｔｏ−Ｐｅｄｅｓｔｒｉａｎ）通信が含まれている。
【００２５】
上記課題を解決するために、図４に示すように、本開示の実施例は、端末に適用される同期信号伝送方法であって、
サイドリンク同期信号ブロックを伝送するステップ４０１を含み、
前記サイドリンク同期信号ブロックは、プライマリサイドリンク同期信号（ＰＳＳＳ）、及び、セカンダリサイドリンク同期信号（ＳＳＳＳ）を含み、ＰＳＳＳ及びＳＳＳＳは、前記サイドリンク同期信号ブロックが占用する直交周波数分割多重ＯＦＤＭシンボルに分布している、同期信号伝送方法を提供する。
【００２６】
説明すべきなのは、ここでいうサイドリンク同期信号ブロックを伝送するとは、サイドリンク同期信号ブロックを受信することを含むし、サイドリンク同期信号ブロックを送信することも含む。
【００２７】
なお、当該サイドリンク同期信号ブロックには、例えばブロードキャストチャネル及び／又はサービスステートメントチャネルなどの他のチャネルが更に含まれており、当該サイドリンク同期信号ブロックには、例えばＤＭＲＳ、ＳＲＳ（Ｓｏｕｎｄｉｎｇ  ｒｅｆｅｒｅｎｃｅ  ｓｉｇｎａｌ）などの基準信号が更に含まれてもよい。
【００２８】
更に説明すべきなのは、少なくとも２つのサイドリンク同期信号ブロックの候補時間領域位置が時間領域で連続しており、且つ前記少なくとも２つのサイドリンク同期信号ブロックの候補時間領域位置でサイドリンク同期信号ブロックを伝送した場合（即ち前記少なくとも２つのサイドリンク同期信号ブロックの候補時間領域位置で、サイドリンク同期信号ブロックの伝送を実際に行った場合）、前記少なくとも２つのサイドリンク同期信号ブロックの候補時間領域位置におけるサイドリンク同期信号ブロックの伝送方向が同じであり、即ち、端末は、これらの連続したシンボルにおいて単一の伝送方向を維持すること、つまり、全てが送信とされるか、或いは全てが受信とされるしかないことを希望する。
【００２９】
加えて、２つのサイドリンク同期信号ブロックの候補時間領域位置が時間領域で連続しない場合、もし前記２つのサイドリンク同期信号ブロックの候補時間領域位置でサイドリンク同期信号ブロックの伝送を実際に行っており、且つ隣接する２つのサイドリンク同期信号ブロックの候補時間領域位置の間の少なくとも一部のシンボルが、ＧＰ（ｇｕａｒｄ  ｐｅｒｉｏｄ）を設定するために用いられていると、当該隣接する２つのサイドリンク同期信号ブロックの候補時間領域位置でサイドリンク同期信号ブロックを実際に伝送する際の伝送方向が異なってもよく、即ち、全てが送信とされるか、全てが受信とされるか、或いは、一方が送信とされて他方が受信とされることが可能である。
【００３０】
選択的に、前記サイドリンク同期信号ブロックは、１つの時間ウィンドウ内で伝送される。この場合、サイドリンク同期信号ブロックの伝送時間は、１つの時間ウィンドウと呼ばれる。
【００３１】
選択的に、前記サイドリンク同期信号ブロックは、プリセットされた時間ウィンドウ内で伝送される。この場合、サイドリンク同期信号ブロックは、プリセットされた時間ウィンドウ内でのみ伝送可能である。
【００３２】
更に説明すべきなのは、当該プリセットされた時間ウィンドウは、端末メーカによって予め設定された時間ウィンドウであってもよいし、プロトコルによって定められた時間ウィンドウであってもよく、更に、基地局に設定された時間ウィンドウであってもよい。
【００３３】
具体的に、前記ＰＳＳＳ及び前記ＳＳＳＳは、プリセットルールに従って、前記サイドリンク同期信号ブロックが占用するＯＦＤＭシンボルに分布している。
【００３４】
説明すべきなのは、サイドリンク同期信号ブロックは、タイムスロットに基づいて伝送されてもよいし、サブタイムスロット（又はミニスロット（ｍｉｎｉ−ｓｌｏｔ））に基づいて伝送されてもよく、即ち、１つのタイムスロットには、少なくとも１つのサイドリンク同期信号ブロックの候補時間領域位置が含まれており、１つのタイムスロットに含まれるサイドリンク同期信号ブロックの候補時間領域位置が異なると、上記のプリセットルールも異なるため、以下、それぞれ、１つのタイムスロットに含まれるサイドリンク同期信号ブロックの候補時間領域位置の数量の観点から、上記プリセットルールを次の通りに詳しく説明する。
【００３５】
一、１つのタイムスロット内に少なくとも２つのサイドリンク同期信号ブロックの候補時間領域位置が含まれる。
【００３６】
具体的に、この場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置する方式と、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置する方式とのうち、少なくとも１つを含む。
【００３７】
更に、候補時間領域位置がサブキャリア間隔（ＳＣＳ）と相関を持つかどうかによって、前記プリセットルールの具体的な構成形態も異なる。これについては、次の通りに説明する。
【００３８】
Ａ、サイドリンク同期信号ブロックの候補時間領域位置がサブキャリア間隔と相関を持たない。
【００３９】
この場合、１つのタイムスロット内に２つのサイドリンク同期信号ブロックの候補時間領域位置が含まれる例を取り上げて詳しく説明する。
【００４０】
具体的に、２つのサイドリンク同期信号ブロックのうち、各々のサイドリンク同期信号ブロックの候補時間領域位置の第一シンボルに対応するＯＦＤＭシンボルインデックスは、１４ｎ又は７＋１４ｎであり、
ここで、０≦ｎ＜ｍであり、ｍはサイドリンク同期信号ブロックが占用するタイムスロットの最大数量であり、ｍの取得方式としては、ｍ＝特定の周波数範囲でのサイドリンク同期信号ブロックの最大数量／２となる。
【００４１】
そのうち、ｎは０の場合、サイドリンク同期信号ブロックの候補時間領域位置を含む最初のタイムスロットの１番目のＯＦＤＭシンボルに対応する。
【００４２】
Ａ１、１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置することである。
【００４３】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が５、６、７であると、１つ目のサイドリンク同期信号ブロックの候補時間領域位置のＰＳＳＳが、番号「１」のＯＦＤＭシンボルの位置にあり、２つ目のサイドリンク同期信号ブロックの候補時間領域位置のＰＳＳＳが、番号「８」のＯＦＤＭシンボルの位置にあり、１つ目のサイドリンク同期信号ブロックの候補時間領域位置のＳＳＳＳが、番号「４」のＯＦＤＭシンボルの位置にあり、２つ目のサイドリンク同期信号ブロックの候補時間領域位置のＳＳＳＳが、番号「１１」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「１」のＯＦＤＭシンボルの位置にあり、２つ目のサイドリンク同期信号ブロックの候補時間領域位置のＳＳＳＳが、番号「８」のＯＦＤＭシンボルの位置にあり、１つ目のサイドリンク同期信号ブロックの候補時間領域位置のＰＳＳＳが、番号「４」のＯＦＤＭシンボルの位置にあり、２つ目のサイドリンク同期信号ブロックの候補時間領域位置のＰＳＳＳが、番号「１１」のＯＦＤＭシンボルの位置にある。
【００４４】
図５に示すように、１つのサイドリンク同期信号ブロックが占用するＯＦＤＭシンボルの数量が５であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの２番目のシンボルに位置し、ＳＳＳＳがサイドリンク同期信号ブロックの５番目のシンボルに位置し、つまり、ＳＬ−ＳＳＢ１のＰＳＳＳが、番号「１」のＯＦＤＭシンボルの位置にあり、ＳＬ−ＳＳＢ２のＰＳＳＳが、番号「８」のＯＦＤＭシンボルの位置にあり、ＳＬ−ＳＳＢ１のＳＳＳＳが、番号「４」のＯＦＤＭシンボルの位置にあり、ＳＬ−ＳＳＢ２のＳＳＳＳが、番号「１１」のＯＦＤＭシンボルの位置にある。
【００４５】
選択的に、別のケースとしては、ＰＳＳＳとＳＳＳＳとの位置を互換することであり、即ち、ＳＳＳＳがサイドリンク同期信号ブロックの２番目のシンボルに位置し、ＰＳＳＳがサイドリンク同期信号ブロックの５番目のシンボルに位置する。
【００４６】
図６に示すように、１つのサイドリンク同期信号ブロックが占用するＯＦＤＭシンボルの数量が６であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの２番目のシンボルに位置し、ＳＳＳＳがサイドリンク同期信号ブロックの５番目のシンボルに位置し、つまり、ＳＬ−ＳＳＢ１のＰＳＳＳが、番号「１」のＯＦＤＭシンボルの位置にあり、ＳＬ−ＳＳＢ２のＰＳＳＳが、番号「８」のＯＦＤＭシンボルの位置にあり、ＳＬ−ＳＳＢ１のＳＳＳＳが、番号「４」のＯＦＤＭシンボルの位置にあり、ＳＬ−ＳＳＢ２のＳＳＳＳが、番号「１１」のＯＦＤＭシンボルの位置にある。
【００４７】
選択的に、別のケースとしては、ＰＳＳＳとＳＳＳＳとの位置を互換することであり、即ち、ＳＳＳＳがサイドリンク同期信号ブロックの２番目のシンボルに位置し、ＰＳＳＳがサイドリンク同期信号ブロックの５番目のシンボルに位置する。
【００４８】
Ａ２、１つのサイドリンク同期信号ブロックが占用するＯＦＤＭシンボルの数量が６以上の場合、前記プリセットルールは、以下の方式のうち、少なくとも１つである。
【００４９】
Ａ２１、前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式である。
【００５０】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が６、７であると、１つ目のサイドリンク同期信号ブロックの候補時間領域位置のＰＳＳＳが、番号「１」のＯＦＤＭシンボルの位置にあり、２つ目のサイドリンク同期信号ブロックの候補時間領域位置のＰＳＳＳが、番号「８」のＯＦＤＭシンボルの位置にあり、１つ目のサイドリンク同期信号ブロックの候補時間領域位置のＳＳＳＳが、番号「５」のＯＦＤＭシンボルの位置にあり、２つ目のサイドリンク同期信号ブロックの候補時間領域位置のＳＳＳＳが、番号「１２」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「１」のＯＦＤＭシンボルの位置にあり、２つ目のサイドリンク同期信号ブロックの候補時間領域位置のＳＳＳＳが、番号「８」のＯＦＤＭシンボルの位置にあり、１つ目のサイドリンク同期信号ブロックの候補時間領域位置のＰＳＳＳが、番号「５」のＯＦＤＭシンボルの位置にあり、２つ目のサイドリンク同期信号ブロックの候補時間領域位置のＰＳＳＳが、番号「１２」のＯＦＤＭシンボルの位置にある。
【００５１】
図７に示すように、１つのサイドリンク同期信号ブロックが占用するＯＦＤＭシンボルの数量が６であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの２番目のシンボルに位置し、ＳＳＳＳがサイドリンク同期信号ブロックの６番目のシンボルに位置し、つまり、ＳＬ−ＳＳＢ１のＰＳＳＳが、番号「１」のＯＦＤＭシンボルの位置にあり、ＳＬ−ＳＳＢ２のＰＳＳＳが、番号「８」のＯＦＤＭシンボルの位置にあり、ＳＬ−ＳＳＢ１のＳＳＳＳが、番号「５」のＯＦＤＭシンボルの位置にあり、ＳＬ−ＳＳＢ２のＳＳＳＳが、番号「１２」のＯＦＤＭシンボルの位置にある。
【００５２】
選択的に、別のケースとしては、ＰＳＳＳとＳＳＳＳとの位置を互換することであり、即ち、ＳＳＳＳがサイドリンク同期信号ブロックの２番目のシンボルに位置し、ＰＳＳＳがサイドリンク同期信号ブロックの６番目のシンボルに位置する。
【００５３】
Ａ２２、前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式である。
【００５４】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が６、７であると、１つ目のサイドリンク同期信号ブロックの候補時間領域位置のＰＳＳＳが、番号「２」のＯＦＤＭシンボルの位置にあり、２つ目のサイドリンク同期信号ブロックの候補時間領域位置のＰＳＳＳが、番号「９」のＯＦＤＭシンボルの位置にあり、１つ目のサイドリンク同期信号ブロックの候補時間領域位置のＳＳＳＳが、番号「５」のＯＦＤＭシンボルの位置にあり、２つ目のサイドリンク同期信号ブロックの候補時間領域位置のＳＳＳＳが、番号「１２」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「２」のＯＦＤＭシンボルの位置にあり、２つ目のサイドリンク同期信号ブロックの候補時間領域位置のＳＳＳＳが、番号「９」のＯＦＤＭシンボルの位置にあり、１つ目のサイドリンク同期信号ブロックの候補時間領域位置のＰＳＳＳが、番号「５」のＯＦＤＭシンボルの位置にあり、２つ目のサイドリンク同期信号ブロックの候補時間領域位置のＰＳＳＳが、番号「１２」のＯＦＤＭシンボルの位置にある。
【００５５】
図８に示すように、１つのサイドリンク同期信号ブロックが占用するＯＦＤＭシンボルの数量が６であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの３番目のシンボルに位置し、ＳＳＳＳがサイドリンク同期信号ブロックの６番目のシンボルに位置し、つまり、ＳＬ−ＳＳＢ１のＰＳＳＳが、番号「２」のＯＦＤＭシンボルの位置にあり、ＳＬ−ＳＳＢ２のＰＳＳＳが、番号「９」のＯＦＤＭシンボルの位置にあり、ＳＬ−ＳＳＢ１のＳＳＳＳが、番号「５」のＯＦＤＭシンボルの位置にあり、ＳＬ−ＳＳＢ２のＳＳＳＳが、番号「１２」のＯＦＤＭシンボルの位置にある。
【００５６】
選択的に、別のケースとしては、ＰＳＳＳとＳＳＳＳとの位置を互換することであり、即ち、ＳＳＳＳがサイドリンク同期信号ブロックの３番目のシンボルに位置し、ＰＳＳＳがサイドリンク同期信号ブロックの６番目のシンボルに位置する。
【００５７】
Ａ２３、前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式である。
【００５８】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が６、７であると、１つ目のサイドリンク同期信号ブロックの候補時間領域位置のＰＳＳＳが、番号「３」のＯＦＤＭシンボルの位置にあり、２つ目のサイドリンク同期信号ブロックの候補時間領域位置のＰＳＳＳが、番号「１０」のＯＦＤＭシンボルの位置にあり、１つ目のサイドリンク同期信号ブロックの候補時間領域位置のＳＳＳＳが、番号「５」のＯＦＤＭシンボルの位置にあり、２つ目のサイドリンク同期信号ブロックの候補時間領域位置のＳＳＳＳが、番号「１２」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「３」のＯＦＤＭシンボルの位置にあり、２つ目のサイドリンク同期信号ブロックの候補時間領域位置のＳＳＳＳが、番号「１０」のＯＦＤＭシンボルの位置にあり、１つ目のサイドリンク同期信号ブロックの候補時間領域位置のＰＳＳＳが、番号「５」のＯＦＤＭシンボルの位置にあり、２つ目のサイドリンク同期信号ブロックの候補時間領域位置のＰＳＳＳが、番号「１２」のＯＦＤＭシンボルの位置にある。
【００５９】
図９に示すように、１つのサイドリンク同期信号ブロックが占用するＯＦＤＭシンボルの数量が６であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの４番目のシンボルに位置し、ＳＳＳＳがサイドリンク同期信号ブロックの６番目のシンボルに位置し、つまり、ＳＬ−ＳＳＢ１のＰＳＳＳが、番号「３」のＯＦＤＭシンボルの位置にあり、ＳＬ−ＳＳＢ２のＰＳＳＳが、番号「１０」のＯＦＤＭシンボルの位置にあり、ＳＬ−ＳＳＢ１のＳＳＳＳが、番号「５」のＯＦＤＭシンボルの位置にあり、ＳＬ−ＳＳＢ２のＳＳＳＳが、番号「１２」のＯＦＤＭシンボルの位置にある。
【００６０】
選択的に、別のケースとしては、ＰＳＳＳとＳＳＳＳとの位置を互換することであり、即ち、ＳＳＳＳがサイドリンク同期信号ブロックの４番目のシンボルに位置し、ＰＳＳＳがサイドリンク同期信号ブロックの６番目のシンボルに位置する。
【００６１】
Ｂ、前記サイドリンク同期信号ブロックの候補時間領域位置がサブキャリア間隔と相関を持つ。
【００６２】
Ｂ１、サブキャリア間隔が第一間隔である。
【００６３】
１つのタイムスロット内に２つのサイドリンク同期信号ブロックの候補時間領域位置が含まれる場合、前記２つのサイドリンク同期信号ブロックのうち、各々のサイドリンク同期信号ブロックの候補時間領域位置の第一シンボルに対応するＯＦＤＭシンボルインデックスは、１４ｎ又は７＋１４ｎであり、
ここで、０≦ｎ＜ｍであり、ｍはサイドリンク同期信号ブロックが占用するタイムスロットの最大数量であり、ｍの取得方式としては、ｍ＝第一間隔でのサイドリンク同期信号ブロックの最大数量／２となり、そのうち、ｎは０の場合、サイドリンク同期信号ブロックの候補時間領域位置を含む最初のタイムスロットの１番目のＯＦＤＭシンボルに対応する。
【００６４】
Ｂ１１、１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置することである。
【００６５】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が５、６、７であると、１つ目のサイドリンク同期信号ブロックの候補時間領域位置のＰＳＳＳが、番号「１」のＯＦＤＭシンボルの位置にあり、２つ目のサイドリンク同期信号ブロックの候補時間領域位置のＰＳＳＳが、番号「８」のＯＦＤＭシンボルの位置にあり、１つ目のサイドリンク同期信号ブロックの候補時間領域位置のＳＳＳＳが、番号「４」のＯＦＤＭシンボルの位置にあり、２つ目のサイドリンク同期信号ブロックの候補時間領域位置のＳＳＳＳが、番号「１１」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「１」のＯＦＤＭシンボルの位置にあり、２つ目のサイドリンク同期信号ブロックの候補時間領域位置のＳＳＳＳが、番号「８」のＯＦＤＭシンボルの位置にあり、１つ目のサイドリンク同期信号ブロックの候補時間領域位置のＰＳＳＳが、番号「４」のＯＦＤＭシンボルの位置にあり、２つ目のサイドリンク同期信号ブロックの候補時間領域位置のＰＳＳＳが、番号「１１」のＯＦＤＭシンボルの位置にある。
【００６６】
具体的に、この場合、１つのサイドリンク同期信号ブロックが占用するＯＦＤＭシンボルの数量が５のとき、１つのサイドリンク同期信号ブロックの候補時間領域位置のＰＳＳＳのＯＦＤＭシンボルの番号がＳＳＳＳのＯＦＤＭシンボルの番号よりも小さいと、図５の分布状況を参照でき、１つのサイドリンク同期信号ブロックが占用するＯＦＤＭシンボルの数量が６のとき、１つのサイドリンク同期信号ブロックの候補時間領域位置のＰＳＳＳのＯＦＤＭシンボルの番号がＳＳＳＳのＯＦＤＭシンボルの番号よりも小さいと、図６の分布状況を参照できる。
【００６７】
Ｂ１２、１つのサイドリンク同期信号ブロックが占用するＯＦＤＭシンボルの数量が６以上の場合、前記プリセットルールは、以下の方式のうち、少なくとも１つである。
【００６８】
Ｂ１２１、前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式である。
【００６９】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が６、７であると、１つ目のサイドリンク同期信号ブロックの候補時間領域位置のＰＳＳＳが、番号「１」のＯＦＤＭシンボルの位置にあり、２つ目のサイドリンク同期信号ブロックの候補時間領域位置のＰＳＳＳが、番号「８」のＯＦＤＭシンボルの位置にあり、１つ目のサイドリンク同期信号ブロックの候補時間領域位置のＳＳＳＳが、番号「５」のＯＦＤＭシンボルの位置にあり、２つ目のサイドリンク同期信号ブロックの候補時間領域位置のＳＳＳＳが、番号「１２」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「１」のＯＦＤＭシンボルの位置にあり、２つ目のサイドリンク同期信号ブロックの候補時間領域位置のＳＳＳＳが、番号「８」のＯＦＤＭシンボルの位置にあり、１つ目のサイドリンク同期信号ブロックの候補時間領域位置のＰＳＳＳが、番号「５」のＯＦＤＭシンボルの位置にあり、２つ目のサイドリンク同期信号ブロックの候補時間領域位置のＰＳＳＳが、番号「１２」のＯＦＤＭシンボルの位置にある。
【００７０】
具体的に、この場合、１つのサイドリンク同期信号ブロックが占用するＯＦＤＭシンボルの数量が６のとき、１つのサイドリンク同期信号ブロックの候補時間領域位置のＰＳＳＳのＯＦＤＭシンボルの番号がＳＳＳＳのＯＦＤＭシンボルの番号よりも小さいと、図７の分布状況を参照できる。
【００７１】
Ｂ１２２、前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式である。
【００７２】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が６、７であると、１つ目のサイドリンク同期信号ブロックの候補時間領域位置のＰＳＳＳが、番号「２」のＯＦＤＭシンボルの位置にあり、２つ目のサイドリンク同期信号ブロックの候補時間領域位置のＰＳＳＳが、番号「９」のＯＦＤＭシンボルの位置にあり、１つ目のサイドリンク同期信号ブロックの候補時間領域位置のＳＳＳＳが、番号「５」のＯＦＤＭシンボルの位置にあり、２つ目のサイドリンク同期信号ブロックの候補時間領域位置のＳＳＳＳが、番号「１２」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「２」のＯＦＤＭシンボルの位置にあり、２つ目のサイドリンク同期信号ブロックの候補時間領域位置のＳＳＳＳが、番号「９」のＯＦＤＭシンボルの位置にあり、１つ目のサイドリンク同期信号ブロックの候補時間領域位置のＰＳＳＳが、番号「５」のＯＦＤＭシンボルの位置にあり、２つ目のサイドリンク同期信号ブロックの候補時間領域位置のＰＳＳＳが、番号「１２」のＯＦＤＭシンボルの位置にある。
【００７３】
具体的に、この場合、１つのサイドリンク同期信号ブロックが占用するＯＦＤＭシンボルの数量が６のとき、１つのサイドリンク同期信号ブロックの候補時間領域位置のＰＳＳＳのＯＦＤＭシンボルの番号がＳＳＳＳのＯＦＤＭシンボルの番号よりも小さいと、図８の分布状況を参照できる。
【００７４】
Ｂ１２３、前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式である。
【００７５】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が６、７であると、１つ目のサイドリンク同期信号ブロックの候補時間領域位置のＰＳＳＳが、番号「３」のＯＦＤＭシンボルの位置にあり、２つ目のサイドリンク同期信号ブロックの候補時間領域位置のＰＳＳＳが、番号「１０」のＯＦＤＭシンボルの位置にあり、１つ目のサイドリンク同期信号ブロックの候補時間領域位置のＳＳＳＳが、番号「５」のＯＦＤＭシンボルの位置にあり、２つ目のサイドリンク同期信号ブロックの候補時間領域位置のＳＳＳＳが、番号「１２」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「３」のＯＦＤＭシンボルの位置にあり、２つ目のサイドリンク同期信号ブロックの候補時間領域位置のＳＳＳＳが、番号「１０」のＯＦＤＭシンボルの位置にあり、１つ目のサイドリンク同期信号ブロックの候補時間領域位置のＰＳＳＳが、番号「５」のＯＦＤＭシンボルの位置にあり、２つ目のサイドリンク同期信号ブロックの候補時間領域位置のＰＳＳＳが、番号「１２」のＯＦＤＭシンボルの位置にある。
【００７６】
具体的に、この場合、１つのサイドリンク同期信号ブロックが占用するＯＦＤＭシンボルの数量が６のとき、１つのサイドリンク同期信号ブロックの候補時間領域位置のＰＳＳＳのＯＦＤＭシンボルの番号がＳＳＳＳのＯＦＤＭシンボルの番号よりも小さいと、図９の分布状況を参照できる。
【００７７】
Ｂ２、サブキャリア間隔が第二間隔である。
【００７８】
１つのタイムスロット内に２つのサイドリンク同期信号ブロックの候補時間領域位置が含まれる場合、前記２つのサイドリンク同期信号ブロックのうち、各々のサイドリンク同期信号ブロックの候補時間領域位置の第一シンボルに対応するＯＦＤＭシンボルインデックスは、ｘ＋１４ｎ又はｙ＋１４ｎであり、
ここで、０≦ｎ＜ｍであり、ｍはサイドリンク同期信号ブロックが占用するタイムスロットの最大数量であり、ｍの取得方式としては、ｍ＝第二間隔でのサイドリンク同期信号ブロックの最大数量／２となり、そのうち、ｎは０の場合、サイドリンク同期信号ブロックの候補時間領域位置を含む最初のタイムスロットの１番目のＯＦＤＭシンボルに対応し、且つｘの値が０、ｙの値が６又は７となる。
【００７９】
そのうち、第二間隔が１２０ｋＨｚの場合、ｙ＝７となる。
【００８０】
Ｂ２１、１つのサイドリンク同期信号ブロックが占用するＯＦＤＭシンボルの数量が６以上の場合、前記プリセットルールは、以下の方式のうち、少なくとも１つである。
【００８１】
Ｂ２１１、前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式である。
【００８２】
図１０に示すように、１つのサイドリンク同期信号ブロックが占用するＯＦＤＭシンボルの数量が６であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの３番目のシンボルに位置し、ＳＳＳＳがサイドリンク同期信号ブロックの６番目のシンボルに位置し、つまり、ＳＬ−ＳＳＢ１のＰＳＳＳが、番号「２」のＯＦＤＭシンボルの位置にあり、ＳＬ−ＳＳＢ２のＰＳＳＳが、番号「８」のＯＦＤＭシンボルの位置にあり、ＳＬ−ＳＳＢ１のＳＳＳＳが、番号「５」のＯＦＤＭシンボルの位置にあり、ＳＬ−ＳＳＢ２のＳＳＳＳが、番号「１１」のＯＦＤＭシンボルの位置にある。
【００８３】
選択的に、別のケースとしては、ＰＳＳＳとＳＳＳＳとの位置を互換することであり、即ち、ＳＳＳＳがサイドリンク同期信号ブロックの３番目のシンボルに位置し、ＰＳＳＳがサイドリンク同期信号ブロックの６番目のシンボルに位置する。
【００８４】
Ｂ２１２、前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式である。
【００８５】
図１１に示すように、１つのサイドリンク同期信号ブロックが占用するＯＦＤＭシンボルの数量が６であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの４番目のシンボルに位置し、ＳＳＳＳがサイドリンク同期信号ブロックの６番目のシンボルに位置し、つまり、ＳＬ−ＳＳＢ１のＰＳＳＳが、番号「３」のＯＦＤＭシンボルの位置にあり、ＳＬ−ＳＳＢ２のＰＳＳＳが、番号「９」のＯＦＤＭシンボルの位置にあり、ＳＬ−ＳＳＢ１のＳＳＳＳが、番号「５」のＯＦＤＭシンボルの位置にあり、ＳＬ−ＳＳＢ２のＳＳＳＳが、番号「１１」のＯＦＤＭシンボルの位置にある。
【００８６】
選択的に、別のケースとしては、ＰＳＳＳとＳＳＳＳとの位置を互換することであり、即ち、ＳＳＳＳがサイドリンク同期信号ブロックの４番目のシンボルに位置し、ＰＳＳＳがサイドリンク同期信号ブロックの６番目のシンボルに位置する。
【００８７】
Ｂ２２、前記第二間隔に１２０ｋＨｚが含まれ、且つ、１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置することを含む。
【００８８】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が５、６、７であると、１つ目のサイドリンク同期信号ブロックの候補時間領域位置のＰＳＳＳが、番号「２」のＯＦＤＭシンボルの位置にあり、２つ目のサイドリンク同期信号ブロックの候補時間領域位置のＰＳＳＳが、番号「９」のＯＦＤＭシンボルの位置にあり、１つ目のサイドリンク同期信号ブロックの候補時間領域位置のＳＳＳＳが、番号「４」のＯＦＤＭシンボルの位置にあり、２つ目のサイドリンク同期信号ブロックの候補時間領域位置のＳＳＳＳが、番号「１１」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「２」のＯＦＤＭシンボルの位置にあり、２つ目のサイドリンク同期信号ブロックの候補時間領域位置のＳＳＳＳが、番号「９」のＯＦＤＭシンボルの位置にあり、１つ目のサイドリンク同期信号ブロックの候補時間領域位置のＰＳＳＳが、番号「４」のＯＦＤＭシンボルの位置にあり、２つ目のサイドリンク同期信号ブロックの候補時間領域位置のＰＳＳＳが、番号「１１」のＯＦＤＭシンボルの位置にある。
【００８９】
図１２に示すように、１つのサイドリンク同期信号ブロックが占用するＯＦＤＭシンボルの数量が５であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの３番目のシンボルに位置し、ＳＳＳＳがサイドリンク同期信号ブロックの５番目のシンボルに位置し、つまり、ＳＬ−ＳＳＢ１のＰＳＳＳが、番号「２」のＯＦＤＭシンボルの位置にあり、ＳＬ−ＳＳＢ２のＰＳＳＳが、番号「９」のＯＦＤＭシンボルの位置にあり、ＳＬ−ＳＳＢ１のＳＳＳＳが、番号「４」のＯＦＤＭシンボルの位置にあり、ＳＬ−ＳＳＢ２のＳＳＳＳが、番号「１１」のＯＦＤＭシンボルの位置にある。
【００９０】
選択的に、別のケースとしては、ＰＳＳＳとＳＳＳＳとの位置を互換することであり、即ち、ＳＳＳＳがサイドリンク同期信号ブロックの３番目のシンボルに位置し、ＰＳＳＳがサイドリンク同期信号ブロックの５番目のシンボルに位置する。
【００９１】
説明すべきなのは、上記の第一間隔に含まれる周波数と、第二間隔に含まれる周波数とは、少なくとも一部が異なり、例えば、１５ｋＨｚ、３０ｋＨｚ、６０ｋＨｚ、１２０ｋＨｚ及び２４０ｋＨｚを、その中の一部が第一間隔に属して他の一部が第二間隔に属するように分割し、一例としては、第一間隔が１５ｋＨｚ及び３０ｋＨｚを含み、第二間隔が６０ｋＨｚ、１２０ｋＨｚ及び２４０ｋＨｚを含むが、説明すべきなのは、上記は第一間隔及び第二間隔の分割ケースの１つに過ぎず、実際の応用においては、これに限定されない。
【００９２】
Ｃ、サブキャリア間隔を考慮しない場合。
【００９３】
具体的に、前記プリセットルールは、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置することを含む。
【００９４】
説明すべきなのは、この場合、１つのタイムスロット内の２つのサイドリンク同期信号ブロックのうち、１つ目のサイドリンク同期信号ブロックの候補時間領域位置の第一シンボルに対応するＯＦＤＭシンボルインデックスが０であり、２つ目のサイドリンク同期信号ブロックの候補時間領域位置の第一シンボルに対応するＯＦＤＭシンボルインデックスが７である。そのため、この場合、もし１つのサイドリンク同期信号ブロックが占用するＯＦＤＭシンボルの数量が５、６、７であると、１つ目のサイドリンク同期信号ブロックの候補時間領域位置のＰＳＳＳが、番号「２」のＯＦＤＭシンボルの位置にあり、２つ目のサイドリンク同期信号ブロックの候補時間領域位置のＰＳＳＳが、番号「９」のＯＦＤＭシンボルの位置にあり、１つ目のサイドリンク同期信号ブロックの候補時間領域位置のＳＳＳＳが、番号「４」のＯＦＤＭシンボルの位置にあり、２つ目のサイドリンク同期信号ブロックの候補時間領域位置のＳＳＳＳが、番号「１１」のＯＦＤＭシンボルの位置にあり、若しくは、もし１つのサイドリンク同期信号ブロックの候補時間領域位置のＳＳＳＳのＯＦＤＭシンボルの番号がＰＳＳＳのＯＦＤＭシンボルの番号よりも小さいと、１つ目のサイドリンク同期信号ブロックの候補時間領域位置のＳＳＳＳが、番号「２」のＯＦＤＭシンボルの位置にあり、２つ目のサイドリンク同期信号ブロックの候補時間領域位置のＳＳＳＳが、番号「９」のＯＦＤＭシンボルの位置にあり、１つ目のサイドリンク同期信号ブロックの候補時間領域位置のＰＳＳＳが、番号「４」のＯＦＤＭシンボルの位置にあり、２つ目のサイドリンク同期信号ブロックの候補時間領域位置のＰＳＳＳが、番号「１１」のＯＦＤＭシンボルの位置にある。
【００９５】
１つのサイドリンク同期信号ブロックが占用するＯＦＤＭシンボルの数量が５であり、且つ、１つのタイムスロット内に２つのサイドリンク同期信号ブロックが含まれるとき、１つのサイドリンク同期信号ブロックの候補時間領域位置のＰＳＳＳのＯＦＤＭシンボルの番号がＳＳＳＳのＯＦＤＭシンボルの番号よりも小さいと、図１２の分布状況を参照できる。
【００９６】
図１３に示すように、１つのサイドリンク同期信号ブロックが占用するＯＦＤＭシンボルの数量が６であり、且つ、１つのタイムスロット内に２つのサイドリンク同期信号ブロックの候補時間領域位置が含まれる場合、１つ目のサイドリンク同期信号ブロック（即ちＳＬ−ＳＳＢ１）及び２つ目のサイドリンク同期信号ブロック（即ちＳＬ−ＳＳＢ２）の候補時間領域位置については、ＰＳＳＳがサイドリンク同期信号ブロックの３番目のシンボルに位置し、ＳＳＳＳがサイドリンク同期信号ブロックの５番目のシンボルに位置し、つまり、ＳＬ−ＳＳＢ１のＰＳＳＳが、番号「２」のＯＦＤＭシンボルの位置にあり、ＳＬ−ＳＳＢ２のＰＳＳＳが、番号「９」のＯＦＤＭシンボルの位置にあり、ＳＬ−ＳＳＢ１のＳＳＳＳが、番号「４」のＯＦＤＭシンボルの位置にあり、ＳＬ−ＳＳＢ２のＳＳＳＳが、番号「１１」のＯＦＤＭシンボルの位置にある。
【００９７】
選択的に、別のケースとしては、ＰＳＳＳとＳＳＳＳとの位置を互換することであり、即ち、ＳＳＳＳがサイドリンク同期信号ブロックの３番目のシンボルに位置し、ＰＳＳＳがサイドリンク同期信号ブロックの５番目のシンボルに位置する。
【００９８】
二、１つのタイムスロット内に１つのサイドリンク同期信号ブロックの候補時間領域位置が含まれる。
【００９９】
説明すべきなのは、この場合、サイドリンク同期信号ブロックという概念がないとして捉えることが可能であり、即ち、ＰＳＳＳ及びＳＳＳＳは、直接にＯＦＤＭシンボルの位置に従って分布する。
【０１００】
具体的に、この場合、前記プリセットルールは、
前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置する方式と、
前記ＰＳＳＳ及び前記ＳＳＳＳの一方が１つのタイムスロットの２番目及び３番目のＯＦＤＭシンボルに位置し、前記ＰＳＳＳ及び前記ＳＳＳＳの他方が１つのタイムスロットの１２番目及び１３番目のＯＦＤＭシンボルに位置する方式と、
前記ＰＳＳＳ及び前記ＳＳＳＳの一方が１つのタイムスロットの５番目及び７番目のＯＦＤＭシンボルに位置し、前記ＰＳＳＳ及び前記ＳＳＳＳの他方が１つのタイムスロットの１０番目及び１２番目のＯＦＤＭシンボルに位置する方式と、
前記ＰＳＳＳ及び前記ＳＳＳＳの一方が１つのタイムスロットの３番目及び６番目のＯＦＤＭシンボルに位置し、前記ＰＳＳＳ及び前記ＳＳＳＳの他方が１つのタイムスロットの９番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの５番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの４番目及び１１番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの３番目及び９番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの４番目及び１０番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの５番目及び１２番目のＯＦＤＭシンボルに位置する方式とのうち、少なくとも１つを含む。
【０１０１】
Ｄ、サイドリンク同期信号ブロックの候補時間領域位置がサブキャリア間隔と相関を持たない。
【０１０２】
この場合、前記プリセットルールは、以下の方式のうち、少なくとも１つである。
【０１０３】
Ｄ１、前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置する方式である。
【０１０４】
図１４に示すように、１つのタイムスロット内には、最大で１つのサイドリンク同期信号ブロックの候補時間領域位置が含まれ、ＰＳＳＳが３番目及び４番目のＯＦＤＭシンボルに位置し、ＳＳＳＳが１１番目及び１２番目のＯＦＤＭシンボルに位置し、つまり、ＰＳＳＳが、番号「２」及び「３」のＯＦＤＭシンボルの位置にあり、ＳＳＳＳが、番号「１０」及び「１１」のＯＦＤＭシンボルの位置にある。
【０１０５】
選択的に、別のケースとしては、ＰＳＳＳとＳＳＳＳとの位置を互換することであり、即ち、ＳＳＳＳが、番号「２」及び「３」のＯＦＤＭシンボルの位置にあり、ＰＳＳＳが、番号「１０」及び「１１」のＯＦＤＭシンボルの位置にある。
【０１０６】
更に説明すべきなのは、この場合、１つのタイムスロットの６番目及び９番目のＯＦＤＭシンボルは、復調基準信号の伝送に用いられ、即ち、番号「５」及び「８」のＯＦＤＭシンボルの位置が復調基準信号の伝送に用いられる。
【０１０７】
Ｄ２、前記ＰＳＳＳ及び前記ＳＳＳＳの一方が１つのタイムスロットの２番目及び３番目のＯＦＤＭシンボルに位置し、前記ＰＳＳＳ及び前記ＳＳＳＳの他方が１つのタイムスロットの１２番目及び１３番目のＯＦＤＭシンボルに位置する方式である。
【０１０８】
図１５に示すように、１つのタイムスロット内には、最大で１つのサイドリンク同期信号ブロックの候補時間領域位置が含まれ、ＰＳＳＳが、２番目及び３番目のＯＦＤＭシンボルに位置し、ＳＳＳＳが、１２番目及び１３番目のＯＦＤＭシンボルに位置し、つまり、ＰＳＳＳが、番号「１」及び「２」のＯＦＤＭシンボルの位置にあり、ＳＳＳＳが、番号「１１」及び「１２」のＯＦＤＭシンボルの位置にある。
【０１０９】
選択的に、別のケースとしては、ＰＳＳＳとＳＳＳＳとの位置を互換することであり、即ち、ＳＳＳＳが、番号「１」及び「２」のＯＦＤＭシンボルの位置にあり、ＰＳＳＳが、番号「１１」及び「１２」のＯＦＤＭシンボルの位置にある。
【０１１０】
更に説明すべきなのは、この場合、１つのタイムスロットの６番目及び９番目のＯＦＤＭシンボルは、復調基準信号の伝送に用いられ、即ち、番号「５」及び「８」のＯＦＤＭシンボルの位置が復調基準信号の伝送に用いられる。
【０１１１】
Ｄ３、前記ＰＳＳＳ及び前記ＳＳＳＳの一方が１つのタイムスロットの５番目及び７番目のＯＦＤＭシンボルに位置し、前記ＰＳＳＳ及び前記ＳＳＳＳの他方が１つのタイムスロットの１０番目及び１２番目のＯＦＤＭシンボルに位置する方式である。
【０１１２】
図１６に示すように、１つのタイムスロット内には、最大で１つのサイドリンク同期信号ブロックの候補時間領域位置が含まれ、ＰＳＳＳが５番目及び７番目のＯＦＤＭシンボルに位置し、ＳＳＳＳが１０番目及び１２番目のＯＦＤＭシンボルに位置し、つまり、ＰＳＳＳが、番号「４」及び「６」のＯＦＤＭシンボルの位置にあり、ＳＳＳＳが、番号「９」及び「１１」のＯＦＤＭシンボルの位置にある。
【０１１３】
選択的に、別のケースとしては、ＰＳＳＳとＳＳＳＳとの位置を互換することであり、即ち、ＳＳＳＳが、番号「４」及び「６」のＯＦＤＭシンボルの位置にあり、ＰＳＳＳが、番号「９」及び「１１」のＯＦＤＭシンボルの位置にある。
【０１１４】
Ｄ４、前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの５番目及び１２番目のＯＦＤＭシンボルに位置する方式である。
【０１１５】
Ｄ５、前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの６番目及び１３番目のＯＦＤＭシンボルに位置する方式である。
【０１１６】
Ｄ６、前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの６番目及び１３番目のＯＦＤＭシンボルに位置する方式である。
【０１１７】
Ｄ７、前記ＰＳＳＳ及び前記ＳＳＳＳの一方が１つのタイムスロットの４番目及び１１番目のＯＦＤＭシンボルに位置し、前記ＰＳＳＳ及び前記ＳＳＳＳの他方が１つのタイムスロットの６番目及び１３番目のＯＦＤＭシンボルに位置する方式である。
【０１１８】
Ｅ、サイドリンク同期信号ブロックの候補時間領域位置がサブキャリア間隔と相関を持つ。
【０１１９】
Ｅ１、サブキャリア間隔が第三間隔である。
【０１２０】
この場合、前記プリセットルールは、以下の方式のうち、少なくとも１つである。
【０１２１】
Ｅ１１、前記ＰＳＳＳ及び前記ＳＳＳＳの一方が１つのタイムスロットの３番目及び６番目のＯＦＤＭシンボルに位置し、前記ＰＳＳＳ及び前記ＳＳＳＳの他方が１つのタイムスロットの９番目及び１２番目のＯＦＤＭシンボルに位置する方式である。
【０１２２】
図１７に示すように、１つのタイムスロット内には、最大で１つのサイドリンク同期信号ブロックの候補時間領域位置が含まれ、ＰＳＳＳが３番目及び６番目のＯＦＤＭシンボルに位置し、ＳＳＳＳが９番目及び１２番目のＯＦＤＭシンボルに位置し、つまり、ＰＳＳＳが、番号「２」及び「５」のＯＦＤＭシンボルの位置にあり、ＳＳＳＳが、番号「８」及び「１１」のＯＦＤＭシンボルの位置にある。
【０１２３】
選択的に、別のケースとしては、ＰＳＳＳとＳＳＳＳとの位置を互換することであり、即ち、ＳＳＳＳが、番号「２」及び「５」のＯＦＤＭシンボルの位置にあり、ＰＳＳＳが、番号「８」及び「１１」のＯＦＤＭシンボルの位置にある。
【０１２４】
Ｅ１２、前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの５番目及び１２番目のＯＦＤＭシンボルに位置する方式である。
【０１２５】
Ｅ１３、前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの６番目及び１３番目のＯＦＤＭシンボルに位置する方式である。
【０１２６】
Ｅ１４、前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの６番目及び１３番目のＯＦＤＭシンボルに位置する方式である。
【０１２７】
Ｅ１５、前記ＰＳＳＳ及び前記ＳＳＳＳの一方が１つのタイムスロットの４番目及び１１番目のＯＦＤＭシンボルに位置し、前記ＰＳＳＳ及び前記ＳＳＳＳの他方が１つのタイムスロットの６番目及び１３番目のＯＦＤＭシンボルに位置する方式である。
【０１２８】
Ｅ２、サブキャリア間隔が第四間隔である。
【０１２９】
この場合、前記プリセットルールは、以下の方式のうち、少なくとも１つである。
【０１３０】
Ｅ２１、前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置する方式である
【０１３１】
具体的に、この場合、１つのサイドリンク同期信号ブロックの候補時間領域位置のＰＳＳＳのＯＦＤＭシンボルの番号がＳＳＳＳのＯＦＤＭシンボルの番号よりも小さいと、図１４の分布状況を参照できる。
【０１３２】
Ｅ２２、前記ＰＳＳＳ及び前記ＳＳＳＳの一方が１つのタイムスロットの３番目及び９番目のＯＦＤＭシンボルに位置し、前記ＰＳＳＳ及び前記ＳＳＳＳの他方が１つのタイムスロットの６番目及び１２番目のＯＦＤＭシンボルに位置する方式である。
【０１３３】
Ｅ２３、前記ＰＳＳＳ及び前記ＳＳＳＳの一方が１つのタイムスロットの４番目及び１０番目のＯＦＤＭシンボルに位置し、前記ＰＳＳＳ及び前記ＳＳＳＳの他方が１つのタイムスロットの６番目及び１２番目のＯＦＤＭシンボルに位置する方式である。
【０１３４】
Ｅ２４、前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの５番目及び１２番目のＯＦＤＭシンボルに位置する方式である。
【０１３５】
説明すべきなのは、上記の第三間隔に含まれる周波数と、第四間隔に含まれる周波数とは、少なくとも一部が異なり、例えば、１５ｋＨｚ、３０ｋＨｚ、６０ｋＨｚ、１２０ｋＨｚ及び２４０ｋＨｚを、その中の一部が第三間隔に属して他の一部が第四間隔に属するように分割し、一例としては、第三間隔が１５ｋＨｚ及び３０ｋＨｚを含み、第四間隔が６０ｋＨｚ、１２０ｋＨｚ及び２４０ｋＨｚを含むが、説明すべきなのは、上記は第三間隔及び第四間隔の分割ケースの１つに過ぎず、実際の応用においては、これに限定されない。
【０１３６】
更に説明すべきなのは、当該ＰＳＳＳは、ＮＲ  ＰＳＳとは異なる多項式に対応するＭシーケンスを用いている。
【０１３７】
説明すべきなのは、図５〜図１７におけるＧＰが明記されているシンボル位置は、空いているままで、データ伝送に用いられなくてもよいし、他の用途に用いられてもよいが、図示したのは、これらのシンボル位置がＧＰとして用いられるケースの１つに過ぎない。
【０１３８】
説明すべきなのは、本開示の実施例によれば、ネットワーク通信フローを完備させ、ネットワーク通信の信頼性を保証することができるとともに、サイドリンク稼動周波数帯域と他のサービス稼動周波数帯域とが重なると、異なるサービスの同期信号を端末が区別できないという問題を回避し、良好な復調性能を保証しているため、端末は、異なる周波数帯域でサイドリンクの同期信号及び／又はブロードキャストチャネルを素早く見つけることができ、電力消費が低減される。
【０１３９】
図１８に示すように、本開示の実施例は、端末であって、
サイドリンク同期信号ブロックを伝送するための伝送モジュール１８０１を含み、
前記サイドリンク同期信号ブロックは、プライマリサイドリンク同期信号ＰＳＳＳ、及び、セカンダリサイドリンク同期信号ＳＳＳＳを含み、ＰＳＳＳ及びＳＳＳＳは、前記サイドリンク同期信号ブロックが占用する直交周波数分割多重ＯＦＤＭシンボルに分布している、端末１８００を更に提供している。
【０１４０】
具体的に、前記ＰＳＳＳ及び前記ＳＳＳＳは、プリセットルールに従って、前記サイドリンク同期信号ブロックが占用するＯＦＤＭシンボルに分布している。
【０１４１】
選択的に、１つのタイムスロット内に少なくとも２つのサイドリンク同期信号ブロックの候補時間領域位置が含まれる場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置する方式と、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置する方式とのうち、少なくとも１つを含む。
【０１４２】
更に、１つのタイムスロット内に２つのサイドリンク同期信号ブロックの候補時間領域位置が含まれる場合、前記２つのサイドリンク同期信号ブロックのうち、各々のサイドリンク同期信号ブロックの候補時間領域位置の第一シンボルに対応するＯＦＤＭシンボルインデックスは、１４ｎ又は７＋１４ｎであり、
ここで、０≦ｎ＜ｍであり、ｍはサイドリンク同期信号ブロックが占用するタイムスロットの最大数量であり、ｎは０の場合、サイドリンク同期信号ブロックの候補時間領域位置を含む最初のタイムスロットの１番目のＯＦＤＭシンボルに対応する。
【０１４３】
更に、１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置することである。
【０１４４】
更に、当前記サイドリンク同期信号ブロックの候補時間領域位置がサブキャリア間隔と相関を持たず、且つ、１つのサイドリンク同期信号ブロックが占用するＯＦＤＭシンボルの数量が６以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式とのうち、少なくとも１つである。
【０１４５】
更に、サブキャリア間隔が第一間隔であり、且つ、１つのタイムスロット内に２つのサイドリンク同期信号ブロックの候補時間領域位置が含まれる場合、前記２つのサイドリンク同期信号ブロックのうち、各々のサイドリンク同期信号ブロックの候補時間領域位置の第一シンボルに対応するＯＦＤＭシンボルインデックスは、１４ｎ又は７＋１４ｎであり、
ここで、０≦ｎ＜ｍであり、ｍはサイドリンク同期信号ブロックが占用するタイムスロットの最大数量であり、ｎは０の場合、サイドリンク同期信号ブロックの候補時間領域位置を含む最初のタイムスロットの１番目のＯＦＤＭシンボルに対応する。
【０１４６】
更に、サブキャリア間隔が第一間隔のとき、１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの５番目のシンボルに位置することである。
【０１４７】
更に、サブキャリア間隔が第一間隔のとき、１つのサイドリンク同期信号ブロックが占用するＯＦＤＭシンボルの数量が６以上の場合、前記プリセットルールは、
前記ＰＳＳＳ及び前記ＳＳＳＳの一方がサイドリンク同期信号ブロックの２番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式とのうち、少なくとも１つである。
【０１４８】
更に、当前記サイドリンク同期信号ブロックの候補時間領域位置がサブキャリア間隔と相関を持ち、サブキャリア間隔が第二間隔であり、且つ、１つのタイムスロット内に２つのサイドリンク同期信号ブロックの候補時間領域位置が含まれる場合、前記２つのサイドリンク同期信号ブロックのうち、各々のサイドリンク同期信号ブロックの候補時間領域位置の第一シンボルに対応するＯＦＤＭシンボルインデックスは、ｘ＋１４ｎ又はｙ＋１４ｎであり、
ここで、０≦ｎ＜ｍであり、ｍはサイドリンク同期信号ブロックが占用するタイムスロットの最大数量であり、ｎは０の場合、サイドリンク同期信号ブロックの候補時間領域位置を含む最初のタイムスロットの１番目のＯＦＤＭシンボルに対応し、且つｘの値が０、ｙの値が６又は７となる。
【０１４９】
更に、サブキャリア間隔が第二間隔のとき、１つのサイドリンク同期信号ブロックが占用するＯＦＤＭシンボルの数量が６以上の場合、前記プリセットルールは、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの６番目のシンボルに位置する方式と、
前記ＰＳＳＳ及び前記ＳＳＳＳの一方がサイドリンク同期信号ブロックの４番目のシンボルに位置し、前記ＰＳＳＳ及び前記ＳＳＳＳの他方がサイドリンク同期信号ブロックの６番目のシンボルに位置する方式とのうち、少なくとも１つである。
【０１５０】
更に、サブキャリア間隔に１２０ｋＨｚが含まれるとき、１つのサイドリンク同期信号ブロックが占用するＯＦＤＭシンボルの数量が５以上の場合、前記プリセットルールは、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置することを含む。
【０１５１】
選択的に、前記プリセットルールは、
前記ＰＳＳＳ及び前記ＳＳＳＳの一方がサイドリンク同期信号ブロックの３番目のシンボルに位置し、前記ＰＳＳＳ及び前記ＳＳＳＳの他方がサイドリンク同期信号ブロックの５番目のシンボルに位置することを含む。
【０１５２】
選択的に、１つのタイムスロット内に１つのサイドリンク同期信号ブロックの候補時間領域位置が含まれる場合、前記プリセットルールは、
前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置する方式と、
前記ＰＳＳＳ及び前記ＳＳＳＳの一方が１つのタイムスロットの２番目及び３番目のＯＦＤＭシンボルに位置し、前記ＰＳＳＳ及び前記ＳＳＳＳの他方が１つのタイムスロットの１２番目及び１３番目のＯＦＤＭシンボルに位置する方式と、
前記ＰＳＳＳ及び前記ＳＳＳＳの一方が１つのタイムスロットの５番目及び７番目のＯＦＤＭシンボルに位置し、前記ＰＳＳＳ及び前記ＳＳＳＳの他方が１つのタイムスロットの１０番目及び１２番目のＯＦＤＭシンボルに位置する方式と、
前記ＰＳＳＳ及び前記ＳＳＳＳの一方が１つのタイムスロットの３番目及び６番目のＯＦＤＭシンボルに位置し、前記ＰＳＳＳ及び前記ＳＳＳＳの他方が１つのタイムスロットの９番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの５番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの４番目及び１１番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの３番目及び９番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの４番目及び１０番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの５番目及び１２番目のＯＦＤＭシンボルに位置する方式とのうち、少なくとも１つを含む。
【０１５３】
更に、前記プリセットルールは、前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置することである場合か、或いは、
前記ＰＳＳＳ及び前記ＳＳＳＳの一方が１つのタイムスロットの２番目及び３番目のＯＦＤＭシンボルに位置し、前記ＰＳＳＳ及び前記ＳＳＳＳの他方が１つのタイムスロットの１２番目及び１３番目のＯＦＤＭシンボルに位置することである場合、１つのタイムスロットの６番目及び９番目のＯＦＤＭシンボルは、復調基準信号の伝送に用いられる。
【０１５４】
更に、サブキャリア間隔が第三間隔の場合、前記プリセットルールは、
前記ＰＳＳＳ及び前記ＳＳＳＳの一方が１つのタイムスロットの３番目及び６番目のＯＦＤＭシンボルに位置し、前記ＰＳＳＳ及び前記ＳＳＳＳの他方が１つのタイムスロットの９番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの５番目及び１２番目のＯＦＤＭシンボルに位置する方式と、
前記ＰＳＳＳ及び前記ＳＳＳＳの一方が１つのタイムスロットの２番目及び９番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの６番目及び１３番目のＯＦＤＭシンボルに位置する方式と、
前記ＰＳＳＳ及び前記ＳＳＳＳの一方が１つのタイムスロットの４番目及び１１番目のＯＦＤＭシンボルに位置し、前記ＰＳＳＳ及び前記ＳＳＳＳの他方が１つのタイムスロットの６番目及び１３番目のＯＦＤＭシンボルに位置する方式とのうち、少なくとも１つである。
【０１５５】
更に、サブキャリア間隔が第四間隔の場合、前記プリセットルールは、
前記ＰＳＳＳ及び前記ＳＳＳＳの一方が１つのタイムスロットの３番目及び４番目のＯＦＤＭシンボルに位置し、前記ＰＳＳＳ及び前記ＳＳＳＳの他方が１つのタイムスロットの１１番目及び１２番目のＯＦＤＭシンボルに位置する方式と、
前記ＰＳＳＳ及び前記ＳＳＳＳの一方が１つのタイムスロットの３番目及び９番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの４番目及び１０番目のＯＦＤＭシンボルに位置し、前記ＰＳＳＳ及び前記ＳＳＳＳの他方が１つのタイムスロットの６番目及び１２番目のＯＦＤＭシンボルに位置する方式と、
前記ＰＳＳＳ及び前記ＳＳＳＳの一方が１つのタイムスロットの３番目及び１０番目のＯＦＤＭシンボルに位置し、前記ＰＳＳＳ及び前記ＳＳＳＳの他方が１つのタイムスロットの５番目及び１２番目のＯＦＤＭシンボルに位置する方式とのうち、少なくとも１つである。
【０１５６】
更に、前記ＰＳＳＳは、Ｍシーケンスを用いる。
【０１５７】
選択的に、少なくとも２つのサイドリンク同期信号ブロックの候補時間領域位置が時間領域で連続しており、且つ前記少なくとも２つのサイドリンク同期信号ブロックの候補時間領域位置で、全てサイドリンク同期信号ブロックを伝送した場合、前記少なくとも２つのサイドリンク同期信号ブロックの候補時間領域位置におけるサイドリンク同期信号ブロックの伝送方向が同じである。
【０１５８】
選択的に、前記サイドリンク同期信号ブロックは、１つの時間ウィンドウ内で伝送される。
【０１５９】
選択的に、前記サイドリンク同期信号ブロックは、プリセットされた時間ウィンドウ内で伝送される。
【０１６０】
説明すべきなのは、当該端末実施例は、上記の端末側に適用される同期信号伝送方法に対応する端末であり、上記実施例の全ての実現方式は、当該端末実施例に適用可能であり、それと同じ技術的効果を奏することもできる。
【０１６１】
図１９は、本開示の実施例に係る端末を実現するハードウェア構造の模式図である。
【０１６２】
当該端末１９０は、無線周波数ユニット１９１０、ネットワークモジュール１９２０、オーディオ出力ユニット１９３０、入力ユニット１９４０、センサ１９５０、表示ユニット１９６０、ユーザ入力ユニット１９７０、インターフェースユニット１９８０、メモリ１９９０、プロセッサ１９１１、及び電源１９１２等の部品を含むが、これらに限定されない。当業者であれば理解できるように、図１９に示す端末構造は、端末に対する限定を構成するものではなく、端末は、図示されるものよりも多いか或いは少ない部品を含んでもよいし、いくつかの部品の組み合せ、又は異なる配置の部品を含んでもよい。本開示の実施例において、端末には、携帯電話、タブレットＰＣ、ノートＰＣ、パームトップ型ＰＣ、車載端末、ウェアラブル機器、及び歩数計等が含まれるが、これらに限定されない。
【０１６３】
そのうち、無線周波数ユニット１９１０は、サイドリンク同期信号ブロックを伝送するためのものであり、
前記サイドリンク同期信号ブロックは、プライマリサイドリンク同期信号ＰＳＳＳ、及び、セカンダリサイドリンク同期信号ＳＳＳＳを含み、ＰＳＳＳ及びＳＳＳＳは、前記サイドリンク同期信号ブロックが占用する直交周波数分割多重ＯＦＤＭシンボルに分布している。
【０１６４】
本開示の実施例に係る端末は、ＰＳＳＳ及びＳＳＳＳを、サイドリンク同期信号ブロックが占用するＯＦＤＭシンボルに分布させることによって、ネットワーク通信フローを完備させ、ネットワーク通信の信頼性を保証することができる。
【０１６５】
理解されたいのは、本開示の実施例において、無線周波数ユニット１９１０は、情報の送受信、又は通話中の信号の受信及び送信に用いられることが可能であり、具体的に、ネットワーク機器からの下りリンクデータを受信した後に、プロセッサ１９１１に処理させること、また、上りリンクデータをネットワーク機器に送信することである。通常、無線周波数ユニット１９１０は、アンテナ、少なくとも１つの増幅器、送受信機、カプラ、低雑音増幅器、デュプレクサ等を含むが、これらに限定されない。加えて、無線周波数ユニット１９１０は、無線通信システムを介してネットワーク及び他の機器通信と通信することが可能である。
【０１６６】
端末は、ネットワークモジュール１９２０によって、ワイヤレスブロードバンドインターネットアクセスをユーザに提供しており、例えばユーザによる電子メールの送受信、ウェブページの閲覧及びストリーミングメディアへのアクセス等を支援する。
【０１６７】
オーディオ出力ユニット１９３０は、無線周波数ユニット１９１０又はネットワークモジュール１９２０によって受信されたか、或いはメモリ１９９０に記憶されたオーディオデータをオーディオ信号に変換して音声として出力することが可能である。更に、オーディオ出力ユニット１９３０は、端末１９０によって実行される特定の機能に関するオーディオ出力（例えば、呼信号受信音、メッセージ受信音等）を提供することも可能である。オーディオ出力ユニット１９３０は、スピーカ、ブザー及び受話器等を含む。
【０１６８】
入力ユニット１９４０は、オーディオ又はビデオ信号を受信するためのものである。入力ユニット１９４０は、ＧＰＵ（Ｇｒａｐｈｉｃｓ  Ｐｒｏｃｅｓｓｉｎｇ  Ｕｎｉｔ）１９４１、及びマイク１９４２を含んでもよく、ＧＰＵ１９４１は、ビデオキャプチャモード又は画像キャプチャモードにおいて画像キャプチャ装置（例えば、カメラ）によって取得された静止画又はビデオの画像データを処理するものである。処理された画像フレームは、表示ユニット１９６０に表示されることが可能である。ＧＰＵ１９４１によって処理された画像フレームは、メモリ１９９０（又は他の記憶媒体）に記憶されるか、或いは無線周波数ユニット１９１０又はネットワークモジュール１９２０を介して送信されることが可能である。マイク１９４２は、音声を受信可能であるとともに、このような音声をオーディオデータとなるように処理することができる。処理されたオーディオデータは、電話通話モードの場合、無線周波数ユニット１９１０を介して移動通信ネットワーク機器に送信可能なフォーマットに変換して出力されることが可能である。
【０１６９】
端末１９０は、例えば光センサ、動きセンサ及び他のセンサなど、少なくとも１つのセンサ１９５０を更に含む。具体的に、光センサは、周囲光センサ及び近接センサを含み、そのうち、周囲光センサは、周囲光の明暗に応じて表示パネル１９６１の輝度を調節することができ、近接センサは、端末１９０が耳付近に移動された場合、表示パネル１９６１及び／又はバックライトをオフにすることができる。動きセンサの一種として、加速度計センサは、様々な方向（通常は３軸）における加速度の大きさを検出することができ、静止時には、重力の大きさ及び方向を検出でき、端末の姿勢の識別（例えば、横／縦スクリーン切替、関連ゲーム、磁力計の姿勢校正）、振動識別関連機能（例えば、歩数計やタッピング）等に用いられることが可能であり、センサ１９５０は、指紋センサ、圧力センサ、虹彩センサ、分子センサ、ジャイロスコープ、気圧計、湿度計、温度計、赤外線センサ等を更に含んでもよいが、ここで繰り返して説明しない。
【０１７０】
表示ユニット１９６０は、ユーザにより入力された情報、又はユーザに提供される情報を表示するためのものである。表示ユニット１９６０は、表示パネル１９６１を含んでもよく、表示パネル１９６１は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）等の形態で構成されてもよい。
【０１７１】
ユーザ入力ユニット１９７０は、入力された数字や文字の情報を受信し、並びに、端末のユーザ設定及び機能制御に関するキー信号入力を生成するためのものである。具体的に、ユーザ入力ユニット１９７０は、タッチパネル１９７１及び他の入力機器１９７２を含む。タッチパネル１９７１は、タッチスクリーンとも呼ばれており、ユーザがその上又は付近ので行ったタッチ操作（例えば、ユーザが指やタッチペン等の任意の適切な物体や付属品を用いて、タッチパネル１９７１上又はタッチパネル１９７１付近で行った操作）を収集することができる。タッチパネル１９７１は、タッチ検出装置とタッチコントローラとの２部分を含んでもよい。そのうち、タッチ検出装置は、ユーザのタッチ位置を検出し、タッチ操作に起因した信号を検出して、その信号をタッチコントローラに送るものであり、タッチコントローラは、タッチ検出装置からタッチ情報を受信し、それをタッチポイント座標に変換してから、プロセッサ１９１１に送り、プロセッサ１９１１から送信されたコマンドを受信して実行するものである。なお、タッチパネル１９７１は、抵抗型、コンデンサ型、赤外線型及び表面弾性波型等の複数のタイプで実現可能である。ユーザ入力ユニット１９７０は、タッチパネル１９７１に加え、他の入力デバイス１９７２を更に含んでもよい。具体的に、他の入力デバイス１９７２には、物理キーボード、機能キー（例えば、音量制御キーやオン／オフキー等）、トラックボール、マウス、ジョイスティックが含まれてもよいが、ここで繰り返して説明しない。
【０１７２】
更に、タッチパネル１９７１は、表示パネル１９６１を覆っていてもよく、タッチパネル１９７１は、その上又は付近のタッチ操作を検出すると、タッチイベントのタイプを特定するためにプロセッサ１９１１に送り、その後、プロセッサ１９１１は、タッチイベントのタイプに応じて、対応する視覚出力を表示パネル１９６１で提供する。図１９において、タッチパネル１９７１と表示パネル１９６１とは、２つの独立した部品として端末の入力及び出力機能を実現しているが、いくつかの実施例において、タッチパネル１９７１と表示パネル１９６１とを統合して端末の入力及び出力機能を実現してもよく、ここでは、具体的に限定しない。
【０１７３】
インターフェースユニット１９８０は、外部装置と端末１９０とを接続するためのインターフェースである。例えば、外部装置には、有線又は無線ヘッドホンポート、外部電源（又はバッテリ充電器）ポート、有線又は無線データポート、メモリカードポート、識別モジュールを持つ装置と接続するためのポート、オーディオ入力／出力（Ｉ／Ｏ）ポート、ビデオＩ／Ｏポート、イヤホンポート等が含まれてもよい。インターフェースユニット１９８０は、外部装置からの入力（例えば、データ情報、電力等）を受信するとともに、受信した入力を端末１９０内の１つ又は複数の要素に送るために用いられてもよいし、或いは、端末１９０と外部装置との間のデータ伝送に用いられてもよい。
【０１７４】
メモリ１９９０は、ソフトウェアプログラム及び様々なデータの記憶に用いられることが可能である。メモリ１９９０は、主にプログラム記憶領域及びデータ記憶領域を含んでもよく、そのうち、プログラム記憶領域は、オペレーティングシステムや、少なくとも１つの機能（例えば、音声再生機能や画像再生機能等）に必要なアプリケーションプログラム等を記憶することができ、データ記憶領域は、携帯電話の使用に応じて作成されたデータ（例えばオーディオデータや電話帳等）を記憶することができる。なお、メモリ１９９０は、高速ランダムアクセスメモリを含んでもよいし、更に、例えば少なくとも１つの磁気ディスク記憶デバイス、フラッシュメモリデバイスなどの不揮発性メモリ、又は他の揮発性ソリッドステート記憶デバイスを含んでもよい。
【０１７５】
プロセッサ１９１１は、端末の制御中心であり、様々なインターフェース及び回線を用いて端末全体の各部分を接続しており、メモリ１９９０に記憶されたソフトウェアプログラム及び／又はモジュールを起動又は実行し、並びに、メモリ１９９０に記憶されたデータを呼び出して端末の各種機能を実行してデータを処理することにより、端末全体の監視制御を行う。プロセッサ１９１１は、１つ又は複数の処理ユニットを含んでもよく、選択的に、プロセッサ１９１１には、アプリケーションプロセッサ及びモデムプロセッサが統合されてもよく、そのうち、アプリケーションプロセッサは、主にオペレーティングシステム、ユーザインタフェース及びアプリケーションプログラム等を取り扱い、モデムプロセッサは、主に無線通信を取り扱う。理解できるように、上記モデムプロセッサは、プロセッサ１９１１に統合されなくてもよい。
【０１７６】
端末１９０は、各部品に電力を供給する電源１９１２（例えばバッテリ）を更に含んでもよく、選択的に、電源１９１２は、電源管理システムによる充放電管理や電力消費管理等の機能が実現されるように、電源管理システムを介してプロセッサ１９１１と論理的に接続されてもよい。
【０１７７】
また、端末１９０は、いくつかの図示していない機能モジュールを含むが、ここで繰り返して説明しない。
【０１７８】
選択的に、本開示の実施例は、端末を更に提供しており、当該端末は、プロセッサ１９１１と、メモリ１９９０と、メモリ１９９０に記憶されて前記プロセッサ１９１１上で実行可能なコンピュータプログラムとを含み、当該コンピュータプログラムがプロセッサ１９１１によって実行されると、端末側に適用される同期信号伝送方法の実施例の各手順が実現され、同じ技術的効果も達成できるが、重複を回避するために、ここで繰り返して説明しない。
【０１７９】
本開示の実施例は、コンピュータプログラムを記憶したコンピュータ読取可能な記憶媒体を更に提供しており、当該コンピュータプログラムがプロセッサによって実行されると、端末側に適用される同期信号伝送方法の実施例の各手順が実現され、同じ技術的効果も達成できるが、重複を回避するために、ここで繰り返して説明しない。そのうち、前記コンピュータ読取可能な記憶媒体は、例えばＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスク等である。
【０１８０】
なお、本開示の実施例で言及されるネットワーク機器は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）又はＣＤＭＡ（Ｃｏｄｅ  Ｄｉｖｉｓｉｏｎ  Ｍｕｌｔｉｐｌｅ  Ａｃｃｅｓｓ）における基地局（Ｂａｓｅ  Ｔｒａｎｓｃｅｉｖｅｒ  Ｓｔａｔｉｏｎ、ＢＴＳ）であってもよいし、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）における基地局（ＮｏｄｅＢ、ＮＢ）であってもよく、更に、ＬＴＥにおける進化型基地局（Ｅｖｏｌｕｔｉｏｎａｌ  Ｎｏｄｅ  Ｂ、ｅＮＢ又はｅＮｏｄｅＢ）、又は中継局やアクセスポイント、又は将来の５Ｇネットワークにおける基地局等であってもよいが、ここで限定しない。
【０１８１】
説明すべきなのは、本明細書において、用語「含む」、「包含」又は他の任意の変体は、非排他的な「包含」を含み、一連の要素を含む手順、方法、物又は装置は、これらの要素を含むことだけではなく、明示的に列挙されていない他の要素、又はこの手順、方法、物若しくは装置の固有の要素を含む。さらなる制限がない限り、用語「１つの…を含む」より限定された要素は、該要素を含む手順、方法、物又は装置に他の同一の要素が存在することを排除しない。
【０１８２】
上記の実施形態に対する説明から、当業者は、ソフトウェアに、必要な汎用ハードウェアプラットフォームを加えるという方式で、本発明の上記実施例方法が実現可能であると明確に分かることができ、勿論、ハードウェアによっても実現可能であるが、多くの場合は、前者は、より好適な実施形態となる。このような理解に基づいて、本発明の技術案の本質的部分、あるいは関連技術に対する貢献をもたらす部分は、ソフトウェア製品の形で具現化することができ、当該コンピュータソフトウェア製品は、記憶媒体（例えば、ＲＯＭ／ＲＡＭ、磁気ディスク、光ディスク）に記憶され、一つの端末（携帯電話、コンピュータ、サーバ、エアコンやネットワーク機器等であり得る）が本開示の各実施例に記載の方法を実行可能にするためのいくつかのコマンドを含む。
【０１８３】
上述したのは、本開示の選択的な実施形態であり、注意すべきことは、当業者にとって、本開示の原理を逸脱しない前提で、若干の改良及び潤色を更に行うことが可能であり、これらの改良及び潤色も本開示の保護範囲内であると見なされるべきである。
【国際調査報告】
2021532701.tif 000022
2021532701.tif 000023
2021532701.tif 000024
2021532701.tif 000025
2021532701.tif 000026
2021532701.tif 000027